(57)【特許請求の範囲】
【請求項１】
通信手段と、
購入品記憶手段と、
テレビ放送信号を受信して、その信号の映像信号を表示手段に表示させ、また、その信号の音声信号をスピーカから発生させるテレビ放送受信手段と、
前記テレビ放送受信手段によって受信されたテレビ放送信号中のコマーシャルメッセージの放送開始を検出するコマーシャルメッセージ検出手段と、
コマーシャルメッセージの識別子に対応して、少なくとも、コマーシャルメッセージのテレビ放送信号、コマーシャルメッセージに係る物品に対応するデータ、コマーシャルメッセージに係る物品の物品識別情報を記憶するコマーシャルメッセージ記憶手段と、
前記コマーシャルメッセージ検出手段によって放送開始が検出されたコマーシャルメッセージのテレビ放送信号が前記コマーシャルメッセージ記憶手段に登録されているか否かを検索し、検索で得られたコマーシャルメッセージに係る物品に対応するデータを前記表示手段に表示させ、表示された物品に対応するデータが入力手段によって選択された場合、選択された物品に対応するデータに対応する物品の物品識別情報を前記購入品記憶手段に記憶させる遅延購入支援手段と、
店舗に設置されたフェムト基地局から送信された前記店舗を識別する店舗識別情報が前記通信手段によって受信された場合、受信された店舗識別情報と前記購入品記憶手段に記憶された物品識別情報とを前記通信手段によって販売店管理サーバに送信して、その店舗識別情報で識別される店舗で前記購入品記憶手段に記憶された物品識別情報で識別される物品が販売されているか否かを前記販売店管理サーバに判断させて、販売されていると判断された場合、報知する店舗報知手段とを備える
ことを特徴とする移動通信装置。
【請求項２】
前記コマーシャルメッセージ記憶手段は、さらにコマーシャルメッセージのテレビ放送信号の特徴量を記憶しており、
前記コマーシャルメッセージ検出手段は、前記テレビ放送受信手段によって受信されたテレビ放送信号を受信して、（ａ）そのテレビ放送信号から前記コマーシャルメッセージの開始時に表われるトリガを検出し、（ｂ）前記トリガが検出された時刻から、コマーシャルメッセージの放送時間未満の時間に渡るテレビ放送信号からその信号の特徴量を算出し、（ｃ）前記算出された特徴量が前記コマーシャルメッセージ記憶手段に記憶されている場合、コマーシャルメッセージの放送開始であると検出する
ことを特徴とする請求項１に記載の移動通信装置。
【請求項３】
管理サーバから送信されるコマーシャルメッセージに係るデータを受信するデータ受信手段を更に備え、
前記コマーシャルメッセージに係るデータは、そのコマーシャルメッセージに係る物品の販売処理を行う装置のＵＲＬ、又は、そのコマーシャルメッセージに係る物品の物品識別情報を含む
ことを特徴とする請求項１に記載の移動通信装置。
【請求項４】
コマーシャルメッセージに係るデータと、装置の使用者の属性とから、そのコマーシャルメッセージに係る物品に使用者が興味を持つか否かを判断する興味有無判断手段を更に備え、
前記コマーシャルメッセージに係るデータは、そのコマーシャルメッセージに係る物品の販売処理を行う装置のＵＲＬに対応するデータ、又は、そのコマーシャルメッセージに係る物品に対応するデータを含み、
前記遅延購入支援手段は、前記興味有無判断手段によってそのコマーシャルメッセージに係る物品に使用者が興味を持たないと判断された場合、前記コマーシャルメッセージに係る物品の販売処理を行う装置のＵＲＬに対応するデータ、又は、前記コマーシャルメッセージに係る物品に対応するデータを前記表示手段に表示させない
ことを特徴とする請求項１に記載の移動通信装置。
【請求項５】
コマーシャルメッセージに係るデータを受信するデータ受信手段を更に備え、
前記コマーシャルメッセージに係るデータは、そのコマーシャルメッセージに係るクーポン情報を含み、
前記遅延購入支援手段は、前記コマーシャルメッセージ検出手段によって放送開始が検出されたコマーシャルメッセージに係るクーポン情報を前記表示手段に表示させる
ことを特徴とする請求項１に記載の移動通信装置。
【請求項６】
視聴回数記憶手段と、
クーポン情報処理手段と、
視聴回数送信手段とを更に備え、
前記クーポン情報処理手段は、前記コマーシャルメッセージ検出手段によってコマーシャルメッセージの放送開始が検出された回数を前記コマーシャルメッセージに係る物品毎に前記視聴回数記憶手段に記憶させ、
前記視聴回数送信手段は、前記店舗報知手段によって前記購入品記憶手段に記憶された物品識別情報で識別される物品が販売されていると判断された後、前記視聴回数記憶手段に記憶された回数を送信する
ことを特徴とする請求項５に記載の移動通信装置。
【請求項７】
装置の位置を測位する測位手段を更に備え、
前記クーポン情報処理手段は、前記コマーシャルメッセージ検出手段によってコマーシャルメッセージの放送開始が検出された回数と、その放送開始の際に前記測位手段によって測位された装置の位置を示す情報とを前記コマーシャルメッセージに係る物品毎に前記視聴回数記憶手段に記憶させ、
前記視聴回数送信手段は、前記視聴回数記憶手段に記憶された回数と、装置の位置を示す情報とを送信する
ことを特徴とする請求項６に記載の移動通信装置。
【請求項８】
前記物品の販売処理は、情報のダウンロードである
ことを特徴とする請求項３に記載の移動通信装置。
【請求項９】
前記通信手段は、移動通信網を介した通信を行い、前記フェムト基地局から送信された前記店舗識別情報を受信する
ことを特徴とする請求項１に記載の移動通信装置。
【請求項１０】
テレビ放送信号を受信して、その信号の映像信号を表示手段に表示させ、また、その信号の音声信号をスピーカから発生させ、
前記受信されたテレビ放送信号中のコマーシャルメッセージの放送開始を検出し、
コマーシャルメッセージの識別子に対応して、少なくとも、コマーシャルメッセージのテレビ放送信号、コマーシャルメッセージに係る物品に対応するデータ、コマーシャルメッセージに係る物品の物品識別情報をコマーシャルメッセージ記憶手段に記憶し、
前記放送開始が検出されたコマーシャルメッセージのテレビ放送信号が前記コマーシャルメッセージ記憶手段に登録されているか否かを検索し、検索で得られたコマーシャルメッセージに係る物品に対応するデータを前記表示手段に表示させ、表示された物品に対応するデータが入力手段によって選択された場合、選択された物品に対応するデータに対応する物品の物品識別情報を記憶し、
店舗に設置されたフェムト基地局から送信された前記店舗を識別する店舗識別情報が通信手段によって受信された場合、受信された店舗識別情報と記憶された物品識別情報とを前記通信手段によって販売店管理サーバに送信して、その店舗識別情報で識別される店舗で前記記憶された物品識別情報で識別される物品が販売されているか否かを前記販売店管理サーバに判断させて、販売されていると判断された場合、報知する
ことを特徴とする購入支援方法。
【発明の詳細な説明】
【技術分野】
【０００１】
本発明は、移動通信装置及び購入支援方法に係り、特に、テレビ放送されたコマーシャルメッセージに係る物品等の購入支援動作に関する。
【背景技術】
【０００２】
インターネットを介した情報収集、動画配信、コンテンツなどのパッケージ販売に見られるように、情報収集及び情報や物品の購入方法は多様性を増してきている。しかし、そういった状況においても、数多くの人がテレビ放送を視聴し、テレビ放送のコマーシャルメッセージ（以後、ＣＭと称する。）によって物品、情報、サービス、特典の情報収集を行い、また、その情報に基づいた物品、情報、サービス（以後、これらを総称して物品と称する。）の購入が行われている。
【０００３】
ここで、ＣＭとは、番組本編の途中に、また、続いて放送される２つの番組本編の間に挿入されて放送される短時間の放送コンテンツで、数回以上放送されることを特徴とするものであり、その内容を問わない。即ち、物品の購入を促す広告に限るものではなく、報知を目的とするもの、物品の無料提供の広告等を全て含む。なお、情報の一例は、映像及び／又は音声からなるコンテンツであり、サービスの一例は、チケット類である。また、特典の一例は、物品購入の際の割引クーポンである。なお、購入は、有料と限るものではない。
【０００４】
インターネットを介した情報収集は、情報収集の意思を持つ者が、例えば、パソコンのキーを操作して対話的に行われるので、その者の意思に従って重要と判断される場合、充分な時間をかけて行われる。しかし、テレビ放送のＣＭは、短時間に放送され、何ら記録が残らない。そこで、テレビを何気なく視聴中の視聴者がそのＣＭの内容に興味を持ったとしても、録画操作をする間もなくＣＭ放送は終了する。
【０００５】
そこで、テレビの視聴者があるＣＭに係る物品に興味を持った場合、そのＣＭが放送された時刻及びチャンネルを所定の装置に通知して、そのＣＭに係る詳細情報を入手するためのアクセス先、例えば、ＵＲＬ（Uniform Resource Locator）を得る。そして、そのＵＲＬへ接続し、上記詳細情報を入手し、更に、そのＣＭに係る物品の購入を行う方法が知られている。
【０００６】
また、ＣＭと同時に上記アクセス先がテレビ放送されている場合、テレビの視聴者は、アクセス先を入手するための操作を行う必要はなく、放送されたアクセス先へ接続する方法が知られている（例えば、特許文献１参照。）。
【先行技術文献】
【特許文献】
【０００７】
【特許文献１】特開２００２−１０２３７号公報（第６、８頁、図１、図２、図９）
【発明の概要】
【発明が解決しようとする課題】
【０００８】
しかしながら、特許文献１に開示されているＣＭが放送された時刻及びチャンネルを所定の装置に通知して、そのＣＭに係る詳細情報を入手するためのアクセス先を入手する方法では、テレビの視聴者は、ＣＭを閲覧して興味を持つＣＭを特定する操作が必要であり、テレビ放送中のＣＭに興味を持ったとしても、直ちにそのＣＭに係る物品の詳細情報を得ることができない問題点があった。
【０００９】
また、特許文献１に開示されているＣＭと同時にテレビ放送されたアクセス先へ接続する方法は、アクセス先がＣＭと同時にテレビ放送されていない場合、そのＣＭに係る詳細情報を得ることができない問題点があった。
【００１０】
本発明は、上記問題点を解決するためになされたもので、テレビ放送中のＣＭに係る情報を記憶し、その情報によってそのＣＭに係る物品の購入の支援を行う移動通信装置及び購入支援方法を提供することを目的とする。
【課題を解決するための手段】
【００１１】
上記目的を達成するために、本発明の移動通信装置は、通信手段と、購入品記憶手段と、テレビ放送信号を受信して、その信号の映像信号を表示手段に表示させ、また、その信号の音声信号をスピーカから発生させるテレビ放送受信手段と、前記テレビ放送受信手段によって受信されたテレビ放送信号中のコマーシャルメッセージの放送開始を検出するコマーシャルメッセージ検出手段と、コマーシャルメッセージの識別子に対応して、少なくとも、コマーシャルメッセージのテレビ放送信号、コマーシャルメッセージに係る物品に対応するデータ、コマーシャルメッセージに係る物品の物品識別情報を記憶するコマーシャルメッセージ記憶手段と、前記コマーシャルメッセージ検出手段によって放送開始が検出されたコマーシャルメッセージのテレビ放送信号が前記コマーシャルメッセージ記憶手段に登録されているか否かを検索し、検索で得られたコマーシャルメッセージに係る物品に対応するデータを前記表示手段に表示させ、表示された物品に対応するデータが入力手段によって選択された場合、選択された物品に対応するデータに対応する物品の物品識別情報を前記購入品記憶手段に記憶させる遅延購入支援手段と、店舗に設置されたフェムト基地局から送信された前記店舗を識別する店舗識別情報が前記通信手段によって受信された場合、受信された店舗識別情報と前記購入品記憶手段に記憶された物品識別情報とを前記通信手段によって販売店管理サーバに送信して、その店舗識別情報で識別される店舗で前記購入品記憶手段に記憶された物品識別情報で識別される物品が販売されているか否かを前記販売店管理サーバに判断させて、販売されていると判断された場合、報知する店舗報知手段とを備えることを特徴とする。
【００１２】
また、本発明の購入支援方法は、テレビ放送信号を受信して、その信号の映像信号を表示手段に表示させ、また、その信号の音声信号をスピーカから発生させ、前記受信されたテレビ放送信号中のコマーシャルメッセージの放送開始を検出し、コマーシャルメッセージの識別子に対応して、少なくとも、コマーシャルメッセージのテレビ放送信号、コマーシャルメッセージに係る物品に対応するデータ、コマーシャルメッセージに係る物品の物品識別情報をコマーシャルメッセージ記憶手段に記憶し、前記放送開始が検出されたコマーシャルメッセージのテレビ放送信号が前記コマーシャルメッセージ記憶手段に登録されているか否かを検索し、検索で得られたコマーシャルメッセージに係る物品に対応するデータを前記表示手段に表示させ、表示された物品に対応するデータが入力手段によって選択された場合、選択された物品に対応するデータに対応する物品の物品識別情報を記憶し、
店舗に設置されたフェムト基地局から送信された前記店舗を識別する店舗識別情報が通信手段によって受信された場合、受信された店舗識別情報と記憶された物品識別情報とを前記通信手段によって販売店管理サーバに送信して、その店舗識別情報で識別される店舗で前記記憶された物品識別情報で識別される物品が販売されているか否かを前記販売店管理サーバに判断させて、販売されていると判断された場合、報知することを特徴とする。
【発明の効果】
【００１３】
本発明によれば、テレビ放送中のＣＭに係る情報を記憶し、その情報によってそのＣＭに係る物品の購入の支援を行うことができる。
【図面の簡単な説明】
【００１４】
【図１】本発明の実施形態に係る移動通信装置を含むコマーシャルメッセージ処理システムの構成を示すブロック図。
【図２】本発明の実施形態に係る移動通信装置の構成を示すブロック図。
【図３】本発明の実施形態に係る移動通信装置の放送受信部の詳細な構成を示すブロック図。
【図４】本発明の実施形態に係る移動通信装置のＣＭ検出部の詳細な構成を示すブロック図。
【図５】本発明の実施形態に係るＣＭ管理サーバ装置の構成を示すブロック図。
【図６】本発明の実施形態に係るＣＭ管理サーバ装置の放送受信部の詳細な構成を示すブロック図。
【図７】本発明の実施形態に係るＣＭ管理サーバ装置のＣＭ検出部の詳細な構成を示すブロック図。
【図８】本発明の実施形態に係るＣＭの構成の一例を示す図。
【図９】本発明の実施形態に係るＣＭデータの構成の一例を示す図。
【図１０】本発明の実施形態に係るＣＭメタデータの構成の一例を示す図。
【図１１】本発明の実施形態に係る購入品情報の構成の一例を示す図。
【図１２】本発明の実施形態に係るＣＭ属性の構成の一例を示す図。
【図１３】本発明の実施形態に係るトリガ検出部の動作のフローチャート。
【図１４】本発明の実施形態に係るトリガ検出部のトリガ検出動作の詳細を示す図（その１）。
【図１５】本発明の実施形態に係るトリガ検出部のトリガ検出動作の詳細を示す図（その２）。
【図１６】本発明の実施形態に係るＣＭ特徴量算出部の動作のフローチャート。
【図１７】本発明の実施形態に係る第一のＣＭ特徴量と、第二のＣＭ特徴量との一例を説明する図。
【図１８】本発明の実施形態に係る移動通信装置のＣＭ判定部の動作のフローチャート。
【図１９】本発明の実施形態に係る移動通信装置の第１の購入支援部の動作のフローチャート。
【図２０】本発明の実施形態に係る移動通信装置の第１の購入支援部によるＣＭメタデータの表示の一例を示す図。
【図２１】本発明の実施形態に係る移動通信装置の第２の購入支援部の動作のフローチャート。
【図２２】本発明の実施形態に係るＣＭ管理サーバ装置の遅延型ＣＭ検出部の動作のフローチャート。
【図２３】本発明の実施形態に係るＣＭ管理サーバ装置のＣＭデータ登録部の動作のフローチャート。
【発明を実施するための形態】
【００１５】
以下に、本発明による移動通信装置及び購入支援方法の実施の形態を、図面を参照して説明する。
【００１６】
図１は、本発明の購入支援方法が適用された本発明の移動通信装置を含むコマーシャルメッセージ処理システムの構成を示すブロック図である。このシステムは、インターネットＩＮを介して接続される移動通信装置ＭＳと、ＣＭ管理サーバ装置ＳＶ−１と、販売サーバ装置ＳＶ−２と、販売店管理サーバ装置ＳＶ−３と、更に、移動通信装置ＭＳと近距離無線通信回線ＬＬを介して接続されるリーダライタ装置ＲＷとからなる。
【００１７】
なお、ＣＭ管理サーバ装置ＳＶ−１と、販売サーバ装置ＳＶ−２と、販売店管理サーバ装置ＳＶ−３とは、それぞれ必ずしも１台ではない。複数台であっても良く、また、複数台の装置に記憶された情報が１台に転送され、統合されているとしても良い。
【００１８】
なお、インターネットＩＮは、その伝送媒体の一部として移動通信網ＭＮを含む。そして、移動通信装置ＭＳは、移動通信網ＭＮを構成する基地局ＢＳの１つを選択して通信する。ここで、一部の基地局ＢＳは、例えば、店舗内をサービスエリアとし、その店舗の管理者によって設置された小規模な基地局であって、フェムト基地局ＢＳ−２と称される。なお、店舗とは、ショッピングセンター、デパート、レストラン等、名称を問わず、物品の販売を行う場所を全て含む。
【００１９】
このシステムの各装置は、順次詳細に説明するが、概略、次のように動作する。即ち、移動通信装置ＭＳは、テレビ放送を受信し、ＣＭの放送開始を検出すると、ＣＭ管理サーバ装置ＳＶ−１から取得したそのＣＭに係る物品の情報を表示する。この報知に応じ、移動通信装置ＭＳの使用者は、販売サーバ装置ＳＶ−２に対して購入処理をさせる。又は、購入希望の物品を移動通信装置ＭＳ内に記憶させる。ここで、ＣＭ管理サーバ装置ＳＶ−１は、全国の各地で放送された又は放送されるＣＭに係る情報を網羅的に記憶していることが望ましい。又は、地域毎に、その地域の放送に含まれるＣＭに係る情報が記憶されたＣＭ管理サーバ装置ＳＶ−１が設けられることが望ましい。
【００２０】
移動通信装置ＭＳが、例えば店舗内に移動してフェムト基地局ＢＳ−２を選択した際、移動通信装置ＭＳは、その店舗で移動通信装置ＭＳ内に記憶された購入希望の物品が販売されているか否かを販売店管理サーバ装置ＳＶ−３に要求して判断させる。そして、販売されている場合、その旨を装置の使用者に対して報知し、また、購入希望の物品に係る情報を、例えば、店舗に設置されたリーダライタ装置ＲＷに対して送信する。
【００２１】
図２は、移動通信装置ＭＳの構成を示すブロック図である。この移動通信装置ＭＳは、装置全体の制御を行う制御部１１０と、移動通信網通信部１２０と、基地局ＢＳや、フェムト基地局ＢＳ−２との間で移動通信の電波の送受を行うアンテナ１２０ａと、移動通信網送受信部１３０と、通話部１４０と、受話音声発生用のスピーカ１４０ａと、送話音声入力用のマイクロフォン１４０ｂと、表示部１５０と、入力部１６０と、ＮＦＣ通信部１７０と、リーダライタ装置ＲＷとの間で電波の送受を行うアンテナ１７０ａと、放送受信部２１０と、放送局（図示せず）から送信された電波を受信するアンテナ２１０ａと、スピーカ２２０と、ＣＭ検出部２３０と、ＣＭデータベース管理部２４０と、ＣＭデータベース部２５０と、ＣＭ再視聴部２６０と、第１の購入支援部３１０と、購入品情報記憶部３２０と、第２の購入支援部３３０とを備える。
【００２２】
ＣＭデータベース部２５０には、ＣＭのＣＭデータと、ＣＭメタデータとが記憶される。購入品情報記憶部３２０には、購入品情報が記憶される。
【００２３】
図３は、放送受信部２１０の詳細な構成を示すブロック図である。放送受信部２１０は、アンテナ２１０ａと接続されるチューナ部２１１と、ＣＭ検出部２３０へテレビ放送信号を送信するデコーダ部２１２と、放送記憶部２１３と、ＣＭ検出部２３０からのＣＭ属性信号を受信し、また、ＣＭ再視聴部２６０からのテレビ放送信号及びＣＭ属性信号を受信する放送信号変形部２１４と、表示部１５０及びスピーカ２２０と接続される再生部２１５とからなる。放送受信部２１０の各部は、制御部１１０によって制御される。放送記憶部２１３には、テレビ放送信号が記憶される。
【００２４】
なお、図３では、各部の間を実線矢印で結んだが、この矢印は、信号の流れの概要を容易に理解できるように付したものであって、その流れの詳細を省略している。
【００２５】
図４は、ＣＭ検出部２３０の詳細な構成を示すブロック図である。ＣＭ検出部２３０は、ＣＭ検出部２３０内の各部を制御するＣＭ検出制御部２３１と、放送受信部２１０からのテレビ放送信号を受信するトリガ検出部２３２と、放送受信部２１０からのテレビ放送信号を受信するＣＭ特徴量算出部２３３と、ＣＭデータベース管理部２４０と接続されるＣＭ判定部２３４と、ＣＭデータベース管理部２４０、放送受信部２１０及び第１の購入支援部３１０と接続されるＣＭ属性記憶部２３５とからなる。ＣＭ属性記憶部２３５には、ＣＭ属性が記憶される。ＣＭ属性には、放送中のテレビ放送がＣＭであるか否かが含まれる。
【００２６】
なお、図４では、各部の間を実線矢印で結んだが、この矢印は、信号の流れの概要を容易に理解できるように付したもので、一部の信号の流れを省略している。
【００２７】
図５は、ＣＭ管理サーバ装置ＳＶ−１の構成を示すブロック図である。このＣＭ管理サーバ装置ＳＶ−１は、装置全体の制御を行う制御部４１０と、インターネットＩＮとの通信を行うインターネット通信部４２０と、インターネット送受信部４３０と、表示部４４０と、入力部４５０と、放送受信部５１０と、放送局から送信された電波を受信するアンテナ５１０ａと、スピーカ５２０と、ＣＭ検出部５３０と、ＣＭデータベース管理部５４０と、ＣＭデータベース部５５０と、外部記憶媒体が取り外し可能に接続される外部記憶媒体接続部５６０とを備える。ＣＭデータベース部５５０には、ＣＭのＣＭデータと、ＣＭメタデータとが記憶される。これらのデータは、ＣＭデータベース部２５０に記憶されるデータと同種である。
【００２８】
図６は、放送受信部５１０の詳細な構成を示すブロック図である。放送受信部５１０は、移動通信装置ＭＳの放送受信部２１０と類似しており、同じ部分には同じ符号を付して説明を省略する。放送受信部５１０は、アンテナ５１０ａと接続されるチューナ部２１１と、ＣＭ検出部５３０へテレビ放送信号を送信するデコーダ部２１２と、ＣＭデータベース管理部５４０からテレビ放送信号を受信し、かつ、表示部４４０及びスピーカ５２０と接続される再生部２１５とからなる。放送受信部５１０の各部は、制御部４１０によって制御される。
【００２９】
なお、図６では、各部の間を実線矢印で結んだが、この矢印は、信号の流れの概要を容易に理解できるように付したものであって、その流れの詳細を省略している。
【００３０】
図７は、ＣＭ検出部５３０の詳細な構成を示すブロック図である。ＣＭ検出部５３０は、移動通信装置ＭＳのＣＭ検出部２３０と同じ処理部を有し、同じ部分には同じ符号を付して説明を省略する。ＣＭ検出部５３０は、ＣＭ検出部５３０内の各部を制御するＣＭ検出制御部５３１と、放送受信部５１０からのテレビ放送信号を受信するトリガ検出部２３２と、放送受信部５１０からのテレビ放送信号を受信するＣＭ特徴量算出部２３３と、ＣＭ検出制御部５３１の指示に従い、放送受信部５１０から送られたテレビ放送信号の最新の数分の信号が記憶されるテレビ放送信号一時記憶部５３２と、遅延型ＣＭ検出部５３３と、ＣＭデータベース管理部５４０と接続されるＣＭデータ登録部５３４とからなる。
【００３１】
なお、図７では、各部の間を実線矢印で結んだが、この矢印は、信号の流れの概要を容易に理解できるように付したもので、一部の信号の流れを省略している。
【００３２】
上記のように構成された、本発明の実施形態に係る移動通信装置ＭＳを含むコマーシャルメッセージ処理システムの各部の動作を図２〜図７を参照して説明する。
【００３３】
先ず、移動通信装置ＭＳの各部の動作を図２〜図４を参照して説明する。移動通信網通信部１２０は、アンテナ１２０ａによって受信された高周波信号を移動通信網送受信部１３０へ送信し、また、移動通信網送受信部１３０から送信された高周波信号をアンテナ１２０ａより送信する。
【００３４】
移動通信網送受信部１３０は、移動通信網通信部１２０からの高周波信号を増幅、周波数変換及び復調し、それによってデジタル信号を得て、得られた通話音声信号を通話部１４０に、制御信号を制御部１１０に送る。また、ＣＭに係る信号をＣＭデータベース管理部２４０に、購入品に係る信号を第１の購入支援部３１０に、選択されたフェムト基地局ＢＳ−２に係る信号を第２の購入支援部３３０に送る。
【００３５】
更には、移動通信網送受信部１３０は、デジタル信号、即ち、通話部１４０から送信された通話音声信号、制御部１１０から送信された制御信号、ＣＭデータベース管理部２４０から送信されたＣＭに係る信号、及び第１の購入支援部３１０から送信された購入品に係る信号を変調、周波数変換及び増幅し、高周波信号を得て、それを移動通信網通信部１２０に送って送信させる。
【００３６】
通話部１４０は、移動通信網送受信部１３０から送信されたデジタル音声信号をアナログ音声信号に変換し、それを増幅してスピーカ１４０ａに送る。また、マイクロフォン１４０ｂから入力されたアナログ音声信号を増幅し、それをデジタル音声信号に変換して移動通信網送受信部１３０に送信する。
【００３７】
表示部１５０は、例えば、ＬＣＤであり、制御部１１０に制御されることで、文字・数字や映像データの表示動作を行い、表示されているデータは、入力部１６０からの入力操作や着信信号に応答して制御部１１０からの指示を受けることで切換わる。
【００３８】
入力部１６０は、通信相手の電話番号等を指定するため、また、文字を入力するための数字キーと複数の機能キーを含むキーからなる。そして、入力部１６０のキーが操作されると、そのキーの識別子が制御部１１０に通知され、制御部１１０によって、表示部１５０に文字として表示され、又は、制御が行われる。
【００３９】
ＮＦＣ通信部１７０は、フェリカ（登録商標、FeliCa）と互換性を持つＩＳＯ／ＩＥＣ  ＪＴＣ  １（International Organization for Standardization/International Electrotechnical Commission Joint Technical Committee 1）によって規格化された近距離無線通信（Near Field Communication）方式（以後、ＮＦＣ方式と称する。）によって、リーダライタ装置ＲＷとの間の近距離無線通信回線ＬＬによる通信をアンテナ１７０ａを介して行う。なお、ＮＦＣ通信部１７０は、待受状態、即ち、リーダライタ装置ＲＷから送信された電波が受信されたことを検出する状態に置かれた場合、電力を消費しない。
【００４０】
放送受信部２１０の各部の動作を説明する。チューナ部２１１は、放送局から送信され、アンテナ２１０ａによって受信された高周波信号から制御部１１０によって指示されたチャンネル番号のチャンネルの信号を選択する。そして、選択された高周波信号を中間周波数の信号に変換し、変換された信号を復調することによってデジタル放送された信号を得る。そして、制御部１１０の指示に従って、その信号を放送記憶部２１３に記憶させ、また、記憶させない。
【００４１】
なお、チューナ部２１１は、接続部（図示せず）を有し、アンテナ２１０ａからの高周波信号を、その接続部に接続されたケーブルを介して受信しても良い。なお、上記ケーブルは、第２の放送受信用アンテナ（図示せず）に接続されていても良い。
【００４２】
デコーダ部２１２は、チューナ部２１１によって得られたデジタル放送された信号を受信して、又は、放送記憶部２１３に記憶されたデジタル放送された信号を読み出して、復号することにより、デジタル映像信号及びデジタル音声信号からなるテレビ放送信号を得て、それらの信号をＣＭ検出部２３０へ送る。
【００４３】
放送信号変形部２１４は、ＣＭ検出部２３０から送られたＣＭ属性信号によって、得られたテレビ放送信号がＣＭであると示された場合、デコーダ部２１２によって得られた信号に変形を施す。ＣＭであると示されない場合、デコーダ部２１２によって得られた信号に変形を施さない。変形の一例は、テレビ放送信号の映像の大きさの縮小であり、この縮小によって得られた映像が表示されない部分には、上記ＣＭに係る情報が表示される。変形の別の一例は、テレビ放送信号の音声の音量の増大、又は、低下である。
【００４４】
また、放送信号変形部２１４は、デコーダ部２１２によって得られたテレビ放送信号に代えて、ＣＭ再視聴部２６０から送信されたテレビ放送信号に変形を施す。なぜなら、ＣＭ再視聴部２６０からは、テレビ放送信号がＣＭであることを示すＣＭ属性信号が常に送信されるからである。
【００４５】
再生部２１５は、放送信号変形部２１４によって変形を施された、又は、施されなかった映像信号を表示部１５０に送って表示させ、変形を施された、又は、施されなかった音声信号をスピーカ２２０へ送って音声を発生させる。
【００４６】
ＣＭ検出部２３０の各部の動作を説明する。トリガ検出部２３２は、受信されたテレビ放送信号の変化にＣＭの開始のトリガがあると検出された場合、検出された旨を送信する。ＣＭ特徴量算出部２３３は、トリガ検出部２３２によってトリガが検出された場合、トリガが検出されてから所定の短時間、例えば、１秒間以内のテレビ放送信号からその信号の特徴量を算出する。
【００４７】
ＣＭ判定部２３４は、ＣＭ特徴量算出部２３３によって算出されたＣＭ特徴量がＣＭデータベース部２５０に記憶されているか否かを、ＣＭデータベース管理部２４０に検索させる。記憶されていない場合、テレビ放送信号はＣＭではないと判定する。記憶されている場合、テレビ放送信号は、ＣＭであると判定する。ＣＭ判定部２３４は、判定結果をＣＭ属性記憶部２３５に記憶させる。この結果は、放送受信部２１０及び第１の購入支援部３１０へ通知される。
【００４８】
ＣＭデータベース管理部２４０は、ＣＭデータベース部２５０に記憶されたＣＭデータと、ＣＭメタデータとを管理する。即ち、まず、ＣＭデータと、ＣＭメタデータとをＣＭデータベース部２５０に記憶させる。また、要求に応じて、これらのデータを順次読み出して送信する。更に、所定の検索要求を受信すると、その検索条件を満たすＣＭデータや、ＣＭメタデータを回答する。
【００４９】
ＣＭ再視聴部２６０は、ＣＭデータベース管理部２４０に要求して、ＣＭに係るＣＭデータと、ＣＭメタデータとを順次読み出させる。そして、そのＣＭデータに含まれるＣＭであるテレビ放送信号を放送信号変形部２１４に送る。更に、そのテレビ放送信号はＣＭである旨のＣＭ属性をＣＭ属性記憶部２３５に記憶させることによって、ＣＭである旨を放送信号変形部２１４と、第１の購入支援部３１０とに通知する。
【００５０】
第１の購入支援部３１０は、ＣＭ検出部２３０のＣＭ属性記憶部２３５に放送中のテレビ信号がＣＭである旨が記憶された場合、購入支援の動作を開始し、そのＣＭに係るＣＭメタデータを表示部１５０に表示させる。なお、ＣＭメタデータには、ＣＭで購入が促された物品の購入が可能な販売サーバ装置ＳＶ−２のＵＲＬと、その物品の識別情報とを含み、それらに対応する情報が表示される。
【００５１】
続いて、入力部１６０の所定のキー操作によって、物品の購入が指定された場合、第１の購入支援部３１０は、ＣＭメタデータに含まれるＵＲＬへアクセスし、その物品の購入手続きを行う。また、入力部１６０の所定のキー操作によって、その物品の購入に興味がある旨が指定されると、第１の購入支援部３１０は、その物品の識別情報を購入品情報として購入品情報記憶部３２０に記憶させる。
【００５２】
第２の購入支援部３３０は、移動通信網送受信部１３０がフェムト基地局ＢＳ−２を選択した場合、購入支援の動作を開始する。即ち、そのフェムト基地局ＢＳ−２から送信された店舗を識別する情報と、購入品情報記憶部３２０に記憶された物品の識別情報とを販売店管理サーバ装置ＳＶ−３に移動通信網送受信部１３０経由で送信して、その物品がその店舗で販売されているか否かを検索させる。
【００５３】
複数の識別情報が購入品情報記憶部３２０に記憶されている場合、第２の購入支援部３３０は、識別情報毎に上記検索を行わせる。そして、販売されているとの検索結果が得られた場合、物品が販売されている旨を報知する。更には、例えば、ＮＦＣ通信部１７０によってリーダライタ装置ＲＷからの要求が受信された場合、購入品情報記憶部３２０に記憶された購入品情報を送信する。
【００５４】
次に、ＣＭ管理サーバ装置ＳＶ−１の各部の動作を図５及び図７を参照して説明する。インターネット通信部４２０は、コネクタ（図示せず）を介して接続されたケーブルがハブ（図示せず）に接続されることにより、インターネットＩＮに接続され、インターネットＩＮから受信した高周波信号をインターネット送受信部４３０に送信する。また、インターネット送受信部４３０から送信された高周波信号をインターネットＩＮに送信する。
【００５５】
インターネット送受信部４３０は、インターネット通信部４２０から送信された高周波信号を増幅、周波数変換及び復調し、復調された制御信号を制御部４１０に送信し、ＣＭに係る信号をＣＭデータベース管理部５４０に送信する。更には、制御部４１０から送信された制御信号、及びＣＭデータベース管理部５４０から送信されたＣＭに係る信号をインターネット通信部４２０に送信する。
【００５６】
表示部４４０は、例えばＬＣＤであり、制御部４１０に制御されることで、文字・数字や映像データ、静止画データの表示動作を行う。入力部４５０は、複数のキースイッチからなり、入力部４５０のキーが操作されると、そのキーの識別子が制御部４１０に通知され、制御部４１０によって、表示部４４０に文字として表示され、また、ＣＭ管理サーバ装置ＳＶ−１の各部によって制御が行われる。
【００５７】
次に、ＣＭ検出部５３０の動作を説明する。遅延型ＣＭ検出部５３３は、トリガ検出部２３２によってＣＭの開始のトリガが検出された場合、トリガの検出から所定のＣＭ放送時間のテレビ放送信号がＣＭであるか否かを検出する。ＣＭであると検出された場合、上記所定のＣＭ放送時間であるＣＭ時間長を送信して、ＣＭであると検出された旨を示す。
【００５８】
ＣＭデータ登録部５３４は、遅延型ＣＭ検出部５３３によってＣＭであると検出された場合、遅延型ＣＭ検出部５３３によって送信されたＣＭ時間長と、ＣＭ特徴量算出部２３３によって算出されたそのＣＭのＣＭ特徴量と、テレビ放送信号一時記憶部５３２に記憶されたそのＣＭのテレビ放送信号とを、ＣＭデータベース管理部５４０にＣＭデータベース部５５０のＣＭデータとして記憶させる。
【００５９】
ＣＭデータベース管理部５４０は、ＣＭデータベース部５５０に記憶されたＣＭデータと、ＣＭメタデータとを管理する。即ち、ＣＭデータの記憶要求に従って、そのＣＭデータをＣＭデータベース部５５０に記憶させる。また、ＣＭメタデータの記憶要求に従って、そのＣＭメタデータをＣＭデータベース部５５０に記憶させる。更には、ＣＭデータ及びＣＭメタデータの検索要求に従って、その検索条件を満たすＣＭデータや、ＣＭメタデータを回答する。
【００６０】
次に、販売サーバ装置ＳＶ−２及び販売店管理サーバ装置ＳＶ−３の動作を説明する。販売サーバ装置ＳＶ−２は、物品の識別情報を受信し、その物品の販売処理を行う。販売店管理サーバ装置ＳＶ−３は、店舗の識別情報と、その店舗で販売している物品の識別情報とを関連付けて記憶する。そして、店舗の識別情報と、物品の識別情報とを受信し、その店舗でその物品が販売されているか否かを通知する。
【００６１】
上記の各部の動作によって、放送中のテレビ信号がＣＭであるか否かが検出されることを、ＣＭの構成と併せて説明する。なお、既に説明したように、ＣＭデータベース部２５０に記憶されるＣＭデータと、ＣＭメタデータとは、ＣＭデータベース部５５０に記憶されたＣＭデータと、ＣＭメタデータとがインターネットＩＮを介して転送されたものである。また、ここでは、音声信号を用い、無音から有音に遷移することをＣＭの開始のトリガとし、トリガが検出された時刻をトリガ時刻と称して説明する。
【００６２】
図８は、ＣＭの構成の一例を示し、図８（ａ）は、単体ＣＭの構成Ｐ１を示す。単体ＣＭの構成Ｐ１は、ＣＭ時間長が１５秒のＣＭの構成であり、開始直後と、終了直前には無音区間を含む。そして、無音区間を除く部分は有音区間であって、ＣＭの大部分は有音区間である。
【００６３】
図８（ｂ）は、２つの連続するＣＭが番組本編の間に放送された構成Ｐ２を示す。この構成Ｐ２は、番組本編１、ＣＭ１、ＣＭ２、番組本編２の順で構成されている。ここで、ＣＭ１と、ＣＭ２とはいずれもＣＭ時間長が１５秒とする。そして、番組本編１の終了直前の時刻Ｐ３と、ＣＭ１の開始直後の時刻Ｐ４との間、ＣＭ１の終了直前の時刻Ｐ６と、ＣＭ２の開始直後の時刻Ｐ７との間、及び、ＣＭ２の終了直前の時刻Ｐ１２と、番組本編２の開始直後の時刻Ｐ１３との間は無音区間である。更に、ＣＭ２の中ほどの時刻Ｐ９〜Ｐ１０の間は無音区間であるとする。
【００６４】
トリガ検出部２３２は、時刻Ｐ４で無音から有音に遷移したので、Ｐ４をトリガ時刻としてトリガを検出する。ＣＭ特徴量算出部２３３は、トリガ時刻Ｐ４から所定の時間が経過した時刻Ｐ５前後のテレビ放送信号から特徴量を算出する。移動通信装置ＭＳのＣＭ判定部２３４は、この算出された特徴量がＣＭデータとしてＣＭデータベース部２５０に記憶されている場合、その特徴量と共に記憶されたＣＭ時間長である１５秒を得て、時刻Ｐ４から１５秒間のテレビ放送信号はＣＭであると判定する。記憶されていない場合、時刻Ｐ４以降の放送は、ＣＭではないと判定する。なお、ＣＭ１の開始時刻は、時刻Ｐ４の直前であるが、ここでは、時刻Ｐ４が開始時刻であるとして、簡明な説明とする。
【００６５】
一方、ＣＭ管理サーバ装置ＳＶ−１の遅延型ＣＭ検出部５３３は、トリガ時刻Ｐ４から１５秒経過した時刻の前後に、音声信号は無音であるか否かを調べる。この場合、時刻Ｐ６〜Ｐ７の間は無音区間であるので、無音であると判断し、時刻Ｐ４から１５秒間のテレビ放送信号はＣＭであると判定する。そして、時刻Ｐ５前後のテレビ放送信号から算出された特徴量と、ＣＭ時間長として１５秒をＣＭデータとしてＣＭデータベース部５５０に記憶させる。
【００６６】
以上の説明で明らかなように、ＣＭ判定部２３４によるＣＭであるか否かの検出は、ＣＭ１の開始から短時間で行われる。一方、遅延型ＣＭ検出部５３３によるＣＭであるか否かの検出は、ＣＭ１が終了した、即ち、その開始から１５秒を経た後で行なわれる。その結果、ＣＭ１が初めて放送された場合、通常、ＣＭ判定部２３４は、ＣＭ１をＣＭとは判定しない。そして、ＣＭデータベース部５５０に記憶されたＣＭデータがＣＭデータベース部２５０に転送された後、ＣＭと判定する。
【００６７】
なお、この転送を頻繁に行わせることによって、また、上記特徴量がＣＭデータベース部２５０に記憶されていない際には直ちにこの転送を行わせて、上記特徴量がＣＭデータベース部２５０に記憶されているか否かを再度判断することによって、ＣＭ１が２回目以降に放送された場合、ＣＭと判定することができる。更には、遅延型ＣＭ検出部５３３の動作によることなく、上記ＣＭデータがＣＭデータベース部５５０に記憶され、ＣＭ１が初めて放送された際、既にそのＣＭデータがＣＭデータベース部２５０に転送されていた場合、ＣＭ判定部２３４は、ＣＭ１をＣＭと判定することも可能である。
【００６８】
同様に、トリガ検出部２３２は、時刻Ｐ７をトリガ時刻としてトリガを検出し、ＣＭ特徴量算出部２３３は、トリガ時刻Ｐ７から所定の時間が経過した時刻Ｐ８前後のテレビ放送信号から特徴量を算出する。そして、ＣＭ判定部２３４は、その特徴量がＣＭデータベース部２５０に記憶されているいか否かによって、時刻Ｐ７から１５秒間のテレビ放送信号はＣＭであるか否かを検出し、また、遅延型ＣＭ検出部５３３は、トリガ時刻Ｐ７から１５秒経過した時刻の前後に、音声信号は無音であるか否かを調べることによって、時刻Ｐ７から１５秒間のテレビ放送信号はＣＭであるか否かを判定する。
【００６９】
ＣＭ２中の時刻Ｐ９〜Ｐ１０が無音であるため、トリガ検出部２３２は、時刻Ｐ１０をトリガ時刻としてトリガを検出し、ＣＭ特徴量算出部２３３は、トリガ時刻Ｐ１０から所定の時間が経過した時刻Ｐ１１前後のテレビ放送信号から特徴量を算出する。
【００７０】
遅延型ＣＭ検出部５３３は、トリガ時刻Ｐ１０から１５秒間のテレビ放送信号はＣＭであるか否かを判定する。時刻Ｐ１０から１５秒後には番組本編２が放送されており、無音ではないことが通例である。そこで、時刻Ｐ１０から１５秒間の放送は、ＣＭでないと判定され、時刻Ｐ１１前後のテレビ放送信号から算出された特徴量は、ＣＭデータベース部５５０に記憶されず、ＣＭデータベース部２５０に転送されることはない。その結果、このＣＭ２が２回目以降に放送された場合、ＣＭ判定部２３４は、時刻Ｐ１０から１５秒間のテレビ放送信号を誤ってＣＭと判定することはない。
【００７１】
また、以上に説明したように、ＣＭの放送開始の検出は、無音区間の終了により、また、ＣＭの特徴量は、ＣＭの冒頭のテレビ放送信号から算出されるとした。そのため、そのＣＭが、例えば、ドラマの中で放送されたとしても、ＣＭと判定されないことが通例である。なぜなら、ドラマ中ではＣＭ放送開始時の無音区間が設けられないことが通例であり、また、テレビ放送信号の音声信号は、俳優の声が合わされることが通例である。また、映像信号は、異なることが通例である。そこで、トリガが検出されず、また、ＣＭ特徴量が異なるためである。
【００７２】
次に、各データベース部及び各記憶部に記憶される情報の詳細を説明する。図９は、ＣＭデータベース部２５０に記憶されるＣＭデータの構成の一例を示す。なお、ＣＭデータベース部５５０に記憶されるＣＭデータの構成は、この構成と同じである。これらのＣＭデータは、ＣＭ識別子２５０ａと、ＣＭ名称２５０ｂと、ＣＭ特徴量２５０ｃと、ＣＭテレビ放送信号２５０ｄと、ＣＭ時間長２５０ｅとが関連付けられたデータであり、１つの関連付けられたデータが１つのＣＭに係る情報を表す。
【００７３】
ＣＭ識別子２５０ａは、ＣＭデータを一意に識別する情報である。ＣＭ名称２５０ｂは、ＣＭの名称である。ＣＭ特徴量２５０ｃは、ＣＭの特徴量であって、１つ以上の特徴量ベクトルである。ＣＭテレビ放送信号２５０ｄは、ＣＭのテレビ放送された信号である。なお、この信号の記憶には大きな記憶容量が必要であり、この信号はファイルとして記憶され、ＣＭテレビ放送信号２５０ｄには、そのファイル名が記憶されるとしても良い。ＣＭ時間長２５０ｅは、ＣＭの放送時間の長さである。
【００７４】
図１０は、ＣＭデータベース部２５０に記憶されるＣＭメタデータの構成の一例を示す。なお、ＣＭデータベース部５５０に記憶されるＣＭメタデータの構成は、この構成と同じである。これらのＣＭメタデータは、ＣＭ識別子２５０ｆと、物品識別情報２５０ｇと、販売対象２５０ｈと、物品紹介情報２５０ｉと、販売ＵＲＬ２５０ｊと、参考ＵＲＬ２５０ｋと、クーポン情報２５０ｍとが関連付けられたデータであり、１つのＣＭ識別子２５０ｆと関連付けられたデータが１つのＣＭに係るメタデータを表す。
【００７５】
ＣＭ識別子２５０ｆは、ＣＭメタデータを一意に識別する情報であって、同じＣＭについては、ＣＭ識別子２５０ａと同じ情報である。なお、同じＣＭについて、ＣＭデータは記憶され、ＣＭメタデータは記憶されないこともあり、逆に、ＣＭメタデータは記憶され、ＣＭデータは記憶されないこともある。そして、ＣＭ識別子２５０ｆに対して、１組、又は、複数組の物品識別情報２５０ｇと、販売対象２５０ｈと、物品紹介情報２５０ｉと、販売ＵＲＬ２５０ｊと、参考ＵＲＬ２５０ｋと、クーポン情報２５０ｍとが関連付けられている。
【００７６】
物品識別情報２５０ｇは、ＣＭで紹介されている物品を一意に識別する情報であり、例えば、ＪＡＮコード（Japanese Article Number）である。販売対象２５０ｈは、その物品の主たる販売先の人々の属性であり、その物品が販売されない場合、その物品に興味を持つ主たる人々の属性である。
【００７７】
物品紹介情報２５０ｉは、その物品を紹介する文章、画像など、任意の情報である。ここで、紹介される物品とは、ＣＭで購入を促し、また、報知を目的とする物品に限るものではない。ＣＭに係る任意の情報で良く、例えば、ＣＭのジャンル、使用されている楽曲の名称、出演している俳優名、使用されている背景が撮影された地点に関する情報、スポンサーの名称、ＣＭの詳細、ＣＭ作成秘話、ＣＭを作成した者の名前、所属事務所などの情報、ＣＭの人気ランキング、ＣＭの放送頻度、ＣＭが放送される、又は、放送された回数、類似ＣＭを識別する情報である。
【００７８】
更には、ＣＭが複数のＣＭがシリーズとなったものである場合、全部で何回のＣＭ中の何番目のＣＭであるか（例えば、「Ｘ社Ｙ製品ＣＭ：Ｚシリーズ、全１２種中１番目」。）、ＣＭが同じ内容のＣＭ時間長２５０ｅが異なる複数のＣＭの１つである場合、その旨である。
【００７９】
販売ＵＲＬ２５０ｊは、物品識別情報２５０ｇで識別される物品の販売処理を行う販売サーバ装置ＳＶ−２のＵＲＬである。参考ＵＲＬ２５０ｋは、物品識別情報２５０ｇで識別される物品に係る、又は、物品紹介情報２５０ｉに係るサーバ装置（図示せず）のＵＲＬである。これらのＵＲＬの一例は、ウェブページを識別する情報と、そのページへアクセスするためのプロトコルを識別する情報とであるが、それに限らない。電子メールアドレスや、電話番号など、移動通信網ＭＮや、インターネットＩＮを介して接続される任意のサーバ装置と、そのサーバ装置へのアクセス方法を識別する情報であれば良い。
【００８０】
クーポン情報２５０ｍは、ＣＭを視聴することによって得られるクーポンを示す情報であり、例えば、視聴回数と販売価格の割引率との関係、視聴回数と視聴した場所と販売価格の割引率との関係、ＣＭ視聴回数と割引を受けられる回数との関係、割引を受けられる期限、視聴回数と特典との関係などである。特典の一例は、無料で着信報知用の楽曲コンテンツのダウンロードすることの許可である。
【００８１】
図１０の「４」であるＣＭ識別子２５０ｆのように、複数組が関連付けられていることは、そのＣＭに複数の物品紹介情報２５０ｉが関連付けられていることを意味する。なお、１組が関連付けられているか、複数組が関連付けられているかを問わず、図１０では「−」で示すように、物品紹介情報２５０ｉ以外には情報が記憶されていないこともある。
【００８２】
即ち、物品識別情報２５０ｇは、物品紹介情報２５０ｉが販売される物品を示さない場合、情報が記憶されない。販売対象２５０ｈは、物品の主たる販売先の人々、また、物品に興味を持つ主たる人々が指定されない場合、情報が記憶されない。販売ＵＲＬ２５０ｊは、物品識別情報２５０ｇに情報が記憶されない場合、及び、情報が記憶されてもその情報で識別される物品の販売処理を行う装置が存在しない場合、情報が記憶されない。
【００８３】
参考ＵＲＬ２５０ｋは、物品識別情報２５０ｇで識別される物品に係る、又は、物品紹介情報２５０ｉに係るサーバ装置が存在しない場合、情報が記憶されない。また、そのサーバ装置は、物品識別情報２５０ｇで識別される物品の販売処理を行う販売サーバ装置ＳＶ−２である場合、参考ＵＲＬ２５０ｋは、販売ＵＲＬ２５０ｊと等しくても良い。クーポン情報２５０ｍは、ＣＭ視聴によるクーポンが存在しない場合、情報が記憶されない。
【００８４】
図１１は、購入品情報記憶部３２０に記憶される購入品情報の構成の一例を示す。この購入品情報は、購入フラグ３２０ａと、物品識別情報３２０ｂと、視聴回数・場所３２０ｃとが関連付けられた情報であり、１つの関連付けられた情報が１つの物品の購入意思の有無等を表す。
【００８５】
購入フラグ３２０ａは、購入品情報が、使用者の購入の意思がある購入品に係る情報である場合「ＯＮ」なる値、その意思があるとは限らない購入品に係る情報である場合「ＯＦＦ」なる値である。物品識別情報３２０ｂは、ＣＭメタデータ中の物品識別情報２５０ｇと同じ情報である。視聴回数・場所３２０ｃは、物品識別情報３２０ｂを物品識別情報２５０ｇとして含むＣＭメタデータに係るＣＭを視聴した回数、又は、回数と場所とである。
【００８６】
なお、視聴回数・場所３２０ｃは、物品を販売する装置に定められたクーポン情報に依存して決定される。例えば、自宅には固定式のテレビ受信装置が設置されている可能性が非常に高いにも拘らず移動通信装置ＭＳでテレビ放送を視聴した場合、固定式のテレビ受信装置で受信されている番組と異なる番組を是非視聴したかったことを意味する。そこで、その場合、有利なクーポンとすることが定められていると、図１１に例示するように、視聴した場所が自宅であるか否かが記憶される。
【００８７】
図１２は、ＣＭ属性記憶部２３５に記憶されるＣＭ属性の構成の一例を示す。このＣＭ属性は、ＣＭフラグ２３５ａと、ＣＭ識別子２３５ｂと、ＣＭ時間長２３５ｃと、残ＣＭ時間２３５ｄと、ＣＭ開始日時２３５ｅとが関連付けられた、１組の情報である。
【００８８】
ＣＭフラグ２３５ａは、放送中のテレビ信号がＣＭであると判定されている場合、「ＯＮ」なる値であり、ＣＭでないと判定されている場合、「ＯＦＦ」なる値である。ＣＭフラグ２３５ａ以外の値は、ＣＭフラグ２３５ａが「ＯＮ」の場合に意味を持ち、ＣＭ識別子２３５ｂは、放送されているＣＭを識別する情報である。ＣＭ時間長２３５ｃは、放送中のＣＭの放送時間長である。残ＣＭ時間２３５ｄは、放送中のＣＭが終了するまでの時間である。ＣＭ開始日時２３５ｅは、放送中のＣＭが放送開始された日時である。
【００８９】
次に、移動通信装置ＭＳが、ＣＭが放送されたことを検出し、そのＣＭに係る物品の購入支援を行う処理の詳細を説明する。
【００９０】
図１３に示すフローチャートを参照して、トリガ検出部２３２の動作の詳細を説明する。なお、トリガ検出部２３２は、テレビ放送信号がＣＭに変化したトリガの検出と、時刻の変化に伴うＣＭ属性記憶部２３５に記憶されるＣＭ属性の更新を行う。
【００９１】
トリガ検出部２３２は、制御部１１０によってＣＭ検出部２３０が起動されると、即ち、ＣＭ検出制御部２３１が起動されると、ＣＭ検出制御部２３１によって起動されて動作を開始し、初期化、即ち、ＣＭ属性のＣＭフラグ２３５ａに「ＯＦＦ」を設定して、ＣＭ属性を更新させる（ステップＳ２３２ａ）。この初期化は、ＣＭ検出部２３０の各部が動作を開始した時点では、テレビ放送信号はＣＭではないとするものであるが、ＣＭであったとしても支障はない。
【００９２】
続いて、トリガ検出部２３２は、ＣＭフラグ２３５ａは「ＯＮ」であるか否かを調べ（ステップＳ２３２ｂ）、「ＯＮ」であれば、残ＣＭ時間２３５ｄから、トリガ検出部２３２が放送受信部２１０からテレビ放送信号を間欠的に、即ち、所定の時間間隔で受信する際の間隔の時間を減じて、ＣＭ属性に更新記憶させる（ステップＳ２３２ｃ）。
【００９３】
残ＣＭ時間２３５ｄが「０」以下の値であるか否かを調べ（ステップＳ２３２ｄ）、「０」以下の値であれば、トリガ検出部２３２は、ＣＭフラグ２３５ａを「ＯＦＦ」に更新記憶させる（ステップＳ２３２ｅ）。
【００９４】
続いて、トリガ検出部２３２は、上記所定の間隔の時間に係るテレビ放送信号を放送受信部２１０から受信し、ＣＭ属性を放送受信部２１０及び第１の購入支援部３１０へ送信し（ステップＳ２３２ｆ）、トリガを検出する（ステップＳ２３２ｇ）。トリガが検出されたか否かを調べ（ステップＳ２３２ｈ）、検出された場合、トリガが発生したトリガ時刻を送信して（ステップＳ２３２ｉ）、ステップＳ２３２ｂのＣＭフラグ２３５ａは「ＯＮ」であるか否かを調べる動作に移る。ステップＳ２３２ｈで検出されなかった場合、直ちに、ステップＳ２３２ｂのＣＭフラグ２３５ａは「ＯＮ」であるか否かを調べる動作に移る。
【００９５】
ステップＳ２３２ｂの動作で、ＣＭフラグ２３５ａ「ＯＮ」でない、即ち、「ＯＦＦ」である場合、及び、ステップＳ２３２ｄの動作で、残ＣＭ時間２３５ｄが「０」以下の値でない場合、トリガ検出部２３２は、ステップＳ２３２ｆの上記所定の間隔の時間に係るテレビ放送信号を放送受信部２１０から受信する動作に移る。トリガ検出部２３２は、ＣＭ検出部２３０が動作中は動作を続ける。
【００９６】
なお、上記ステップＳ２３２ａ〜ステップＳ２３２ｅの動作は、ＣＭ属性の更新の動作であり、ステップＳ２３２ｆ〜ステップＳ２３２ｉのトリガ検出に係る動作とは異なる種類の動作である。この実施形態では、トリガ検出部２３２は、間欠的にテレビ放送信号を受信し、受信された信号の処理を次に信号を受信するまでの間に完了するので、この受信の間隔が一定であることを活用して、ＣＭ属性の更新を行う。残ＣＭ時間２３５ｄは、時刻の経過と共に、減算されることが必須であるためである。
【００９７】
しかしながら、このＣＭ属性の更新の動作は、トリガ検出部２３２が行うと限るものではない。例えば、ＣＭ検出制御部２３１又は制御部１１０が所定の時間間隔で発生させる割り込みによって、上記ＣＭ属性の更新動作を開始するとしても良い。
【００９８】
また、ステップＳ２３２ｆでＣＭ属性を放送受信部２１０及び第１の購入支援部３１０へ送信して通知するとしたが、これも、トリガ検出部２３２は、一定の時間間隔で放送受信部２１０からテレビ放送信号を受信することを活用したものであって、ＣＭ属性の通知は、この方法に限るものではない。例えば、放送受信部２１０及び第１の購入支援部３１０がＣＭ属性記憶部２３５を参照しても良い。また、ＣＭ検出制御部２３１はＣＭ属性を制御部１１０に通知し、制御部１１０は、放送受信部２１０及び第１の購入支援部３１０の要求に応じてＣＭ属性を通知するとしても良い。
【００９９】
更に、放送受信部２１０及び第１の購入支援部３１０がＣＭ属性記憶部２３５を参照する際、ＣＭ時間長２３５ｃから、ＣＭ開始日時２３５ｅから現在の日時までの経過時間を減算することにより残ＣＭ時間を算出し、算出された残ＣＭ時間が「０」以下であれば、ＣＭフラグ２３５ａの値に係らず、テレビ放送信号はＣＭでないと判断しても良い。この場合、上述したＣＭ属性の更新の動作は不要となる。また、ＣＭ属性は、残ＣＭ時間２３５ｄを含む必要はない。
【０１００】
なお、トリガ検出部２３２が放送受信部２１０からテレビ放送信号を間欠的に受信するとしたが、この時間間隔は、数十ｍ秒、長くても１００ｍ秒が適切である。トリガ検出部２３２がＣＭの開始を早く検出することによって、テレビ放送信号がＣＭであるか否かが早く判定されるためである。例えば、地上波デジタルテレビ放送信号の音声信号はＡＡＣ方式で符号化されており、これをデコードして得られる信号は、４８ＫＨｚサンプリングで１０２４サンプルずつである。この信号を得る周期は、１０２４／４８≒２１．３ｍ秒となり、妥当な間欠受信周期である。
【０１０１】
ステップＳ２３２ｇのトリガの検出動作の詳細を、図１４を参照して説明する。トリガ検出部２３２は、テレビ放送信号の音声信号が無音から有音に遷移したこと、及び／又は、テレビ放送信号の映像信号のシーンチェンジが発生したことをトリガとして検出し、トリガが発生したトリガ時刻を送信する。なお、シーンチェンジとは、時間的に連続する２つのフレームの映像が大きく変化したことであり、それらのフレームがフレーム内符号化されているか否かとは無関係である。ここで、この無音から有音への遷移や、シーンチェンジは、少なくともＣＭ放送の開始の際に、及び、ＣＭ放送の終了の際に発生する。
【０１０２】
トリガ検出部２３２は、音声信号の振幅がある無音閾値よりも小さい時間が一定の無音継続長閾値以上の時間に渡って連続する区間を無音区間として検出し、この無音区間の終了時刻（図１４では、時刻Ｔ５。）をトリガ時刻として検出する。このようにトリガ時刻を検出することによって、ＣＭ特徴量算出部２３３がトリガ時刻直後の音声信号の特徴量を算出する際、有音区間の音声特徴量を算出し、有効な特徴量が得られる。
【０１０３】
ここで、無音閾値を小さくし過ぎたり、逆に大きくし過ぎると、本来検出されるべきＣＭの開始付近のトリガ検出不足が生じ、結果的にＣＭが検出されないエラーが発生し、また、ＣＭの開始付近以外の余計な無音終了がトリガとして検出され、ＣＭでない放送がＣＭであると検出されないにしても、ＣＭ特徴量算出部２３３による無用な特徴量の算出が行われる問題が発生する。
【０１０４】
無音閾値は、上記を鑑みて適切な値に設定すべきであり、音声信号が１６ｂｉｔ量子化のＰＣＭの場合、経験上、無音閾値は１００前後が妥当である。また、無音継続長閾値も同様に長すぎるとトリガ検出が不足し、逆に短すぎると余計なトリガ検出により無駄な処理量増加を引き起こす。無音継続長閾値は上記を鑑みて適切な値に設定すべきであり、経験上、２００から３００ｍ秒程度が妥当である。
【０１０５】
トリガ検出部２３２は、映像信号のシーンチェンジの時刻（時刻Ｔ１、Ｔ３、Ｔ７）をトリガ時刻として検出しても良い。シーンチェンジの時刻は、例えば隣り合う映像フレーム間の差が、あるシーンチェンジ閾値よりも大きい場合に、その隣り合う２つのフレームの前フレームに係る時刻、後フレームに係る時刻、又は、それらの時刻の中間時刻とする。映像フレーム間の差の算出方法は、映像フレームのブロックごとの輝度や色差の平均値を映像特徴量ベクトルとし、この映像特徴量ベクトルのベクトル距離や内績として算出する。
【０１０６】
このように、映像信号によってトリガ時刻を検出すると、ＣＭ冒頭の無音区間に該当する部分の音量が大きいために、無音検出がされなかった場合でも、ＣＭ冒頭付近のシーンチェンジを検出できる可能性があるので、ＣＭ冒頭付近のトリガを取りこぼさない。ただし、シーンチェンジ閾値を大きくし過ぎると、検出されるシーンチェンジが減りＣＭ冒頭付近のトリガの取りこぼし抑制効果が低減する。逆にシーンチェンジ閾値を小さくしすぎると、検出されるシーンチェンジが増加し、その都度ＣＭ特徴量が算出されるので、無駄な処理量増加を引き起こす。シーンチェンジ閾値は上記を鑑みて適切な値に設定する必要がある。
【０１０７】
トリガ検出部２３２は、上記無音区間の終端時刻（時刻Ｔ５）に最も近い時刻の映像フレーム位置（時刻Ｔ４）、又は、直後の映像フレーム位置（時刻Ｔ６）をトリガ時刻として検出しても良い。例えば、無音区間の終端位置時刻（時刻Ｔ５）をトリガ時刻とする場合、音声信号中のノイズや音量（ゲイン）などの影響で、無音区間の終了位置時刻が多少前後にずれる可能性があるが、上記方法でトリガ時刻を特定することで、前後のずれによる影響を受けない。
【０１０８】
トリガ検出部２３２は、無音区間に存在するシーンチェンジの時刻（時刻Ｔ３）をトリガ時刻として検出しても良い。例えば無音区間の終了位置時刻（時刻Ｔ５）をトリガ時刻とする場合、もしＣＭ冒頭の無音が５秒継続するときは、ＣＭの放送開始からトリガ検出までに最低５秒の遅延が生じることになる。しかし、上記方法でトリガ時刻を特定すれば、ＣＭ冒頭の無音が長く続くような場合でも、無音状態になってから最初のシーンチェンジの時刻をトリガ時刻とするので、無駄な遅延を生じることなく、トリガ検出が可能となる。無音区間にシーンチェンジが複数存在する場合、最後のシーンチェンジ、即ち、無音区間の終了位置時刻（時刻Ｔ５）に最も近い時刻のシーンチェンジの時刻をトリガ時刻とする。
【０１０９】
以上のようにトリガ検出部２３２がトリガ時刻を厳密に定められた手順によって検出することが、同じＣＭが複数回放送された際、ＣＭ特徴量算出部２３３がそれらの複数のＣＭから同じ特徴量を算出するために必須である。言い換えると、ＣＭ特徴量算出部２３３がＣＭの特徴量を算出するために用いるテレビ放送信号は、ＣＭ開始から同じ時間が経過した信号でなければならない。これを保証するため、トリガ時刻と、ＣＭ開始時刻との差は、常に一定でなければならないためである。
【０１１０】
上記のように、無音区間を音声信号の振幅を参照して検出することに代えて、音声フレームのビット列を参照して検出することが考えられる。ＣＭ素材がフレーム毎に切り出されたデジタルデータとして放送局に送られ、そのデジタルデータがアナログ信号に変換されることなく、符号化されて放送される場合、このフレームのビット列を参照して検出する方法も有効である。同じＣＭが複数回放送された際、全く同じビット列のフレームが放送受信部２１０で得られ、トリガ検出部２３２に送信されるからである。
【０１１１】
しかし、ＣＭ素材がアナログデータとして放送局に送られ、放送局でデジタル化される場合、このビット列を参照して検出する方法の適用には、充分な注意が必要である。この注意が必要な理由を説明する。図１５は、アナログデータであるＣＭ素材から音声フレームを切り出すことによってトリガが検出される２つの例を示し、横軸は、時刻をフレーム切り出しのタイミング単位の目盛りを付して表している。
【０１１２】
音声フレーム切り出しの際、アナログデータであるＣＭ素材の冒頭から切り出すのであるが、素材の冒頭から誤差を含んだ時間を経過した時刻からデータから切り出しを開始する。この誤差が、たとえ数ｍ秒程度であっても、音声フレームのビット列は大きく変化する。また、異なった音声フレームによって、無音が終了したと判断されることがある。
【０１１３】
図１５（ａ）の音声フレーム切り出しの第１の例では、Ｆ１１個目の音声フレームで無音が終了したと判断され、トリガ時刻とされる。図１５（ｂ）の音声フレーム切り出しの第２の例では、Ｆ１２個目の音声フレームで無音が終了したと判断され、トリガ時刻とされる。無音が終了したと判断されたフレームに続く４つの音声フレームから特徴量を算出するとした場合、これらの２つの例では、同じＣＭ素材から放送されたＣＭであるにも係らず、大きく異なる音声フレームから特徴量を算出することになり、ＣＭ判定部２３４の判定が妥当でない可能性が大変に大きくなる。
【０１１４】
なお、アナログデータであるＣＭ素材から切り出された映像フレームにも、上述したように、ＣＭ素材の冒頭から最初のフレームが切り出されるまでの時間に依存した、放送される度に生じる差がある。しかし、一般に、時間的に連続する映像フレームの特徴量の差は、連続する音声フレームの特徴量の差に比較すれば少ない。
【０１１５】
そこで、例えば、放送された映像フレームと、記憶された映像フレームが等しいか否かの判断の際、時間的に連続する映像フレームが記憶されていれば、それらのフレームから、等しいと予想されるフレーム、その前のフレーム、及び、その後のフレームとを選択して比較し、いずれかと等しい場合、放送された映像フレームと、記憶された映像フレームが等しいとみなすことができる。
【０１１６】
図１６に示すフローチャートを参照して、ＣＭ特徴量算出部２３３がＣＭ特徴量を算出する動作の詳細を説明する。ＣＭ特徴量算出部２３３は、トリガ検出部２３２によってトリガが検出され、トリガ時刻が送信された場合、動作を開始し、トリガ時刻から短時間に渡るテレビ放送信号から第一のＣＭ特徴量を算出する（ステップＳ２３３ａ）。そして、算出された第一のＣＭ特徴量と、トリガ時刻とを送信する（ステップＳ２３３ｂ）。
【０１１７】
ここで、上記短時間は、より短いほどＣＭ判定部２３４によってより早くＣＭであるか否かが判定され、より長いほどＣＭ判定部２３４によってより正確にＣＭであるか否かが判定される。早さを重視する場合、例えば、数百ｍ秒間〜１秒間程度、正確さを重視する場合、例えば、１秒間〜３秒間程度が適切である。
【０１１８】
ここで、ＣＭ特徴量は、例えば、テレビ放送信号の音声信号のスペクトルや、メル周波数ケプストラム係数（ＭＦＣＣ、Mel Frequency Cepstrum Coefficients）、ＬＰＣケプストラムなどのケプストラム、又は、帯域ごとのフィルタバンク出力である。また、テレビ放送信号の映像信号をブロックに分割し、それぞれのブロック毎の輝度信号の平均値と色差信号の平均値とである。なお、ＣＭ特徴量を算出する際、信号をパワーで正規化した上で用いても良い。特に、映像信号は、映像フレームをブロックに分割し、ブロック毎に平均した値を用いても良い。
【０１１９】
続いて、ＣＭ特徴量算出部２３３は、テレビ放送信号から第二のＣＭ特徴量を算出し（ステップＳ２３３ｃ）、算出された第二のＣＭ特徴量を送信して（ステップＳ２３３ｄ）、動作を終了する。ここで、第二のＣＭ特徴量は、ステップＳ２３３ａで第一のＣＭ特徴量を算出するのに用いたテレビ放送信号より後のテレビ放送信号、例えば、トリガ時刻から７〜１０秒程度を経たテレビ放送信号から算出される。
【０１２０】
なお、ＣＭ特徴量算出部２３３は、トリガ検出部２３２によってトリガが検出される度に動作を開始する。そのため、１つのトリガ時刻を契機とした動作が終了する前に、異なるトリガ時刻を契機とした動作を開始することがある。
【０１２１】
ここで、図１７を参照して、第一のＣＭ特徴量と、第二のＣＭ特徴量との一例を説明する。この例では、第一のＣＭ特徴量Ｐ６１１は、トリガ時刻の直後の連続したテレビ放送信号Ｐ６１２から算出されたＭ本の特徴量ベクトルから構成されている。第二のＣＭ特徴量Ｐ６１３は、テレビ放送信号Ｐ６１２より後に放送された、不連続のテレビ放送信号Ｐ６１４、Ｐ６１５、Ｐ６１６から算出されたＮ−Ｍ本の特徴量ベクトルから構成されている。そして、第一のＣＭ特徴量Ｐ６１１及び第二のＣＭ特徴量Ｐ６１３がＣＭ特徴量である。
【０１２２】
第一のＣＭ特徴量Ｐ６１１は、トリガ時刻後、放送中のテレビ信号がＣＭであるか否かを速やかに判定するため用いられるので、トリガ時刻から近く、かつ、短い、数百ｍ秒〜１秒程度以内のテレビ放送信号から短時間で算出される。一方、第二のＣＭ特徴量Ｐ６１３は、冒頭が同じ内容で、ＣＭ時間長が長短のＣＭ、例えば、１５秒のＣＭと３０秒のＣＭとが放送される場合、又は、冒頭の内容は同じ、かつ、ＣＭ時間長は同じだが、アレンジ等の違いにより冒頭以外の内容が異なるＣＭの場合に、いずれのＣＭであるかの判定に用いられる。
【０１２３】
そこで、第二のＣＭ特徴量Ｐ６１３は、トリガ時刻後、比較的長い時間、例えば、７〜１０秒程度の時間が経過した後のテレビ放送信号から算出される。第一のＣＭ特徴量Ｐ６１１の算出に用いられたトリガ時刻直後のテレビ放送信号Ｐ６１２に依存して算出されると、ＣＭ時間長が長短のＣＭのいずれであるかの判定や、アレンジが異なるＣＭの判定には有効ではない。また、算出時間が短いことを、第一のＣＭ特徴量Ｐ６１１の算出に比較すると強く要求されることがないので、図１７に示すように、複数の区間のテレビ放送信号Ｐ６１４、Ｐ６１５、Ｐ６１６から算出されることがいずれのＣＭであるかの判定の際に望ましいが、１つの区間のテレビ放送信号から算出されても良い。
【０１２４】
図１８に示すフローチャートを参照して、ＣＭ判定部２３４が放送中のテレビ信号がＣＭであるか否かを判定する動作の詳細を説明する。ＣＭ判定部２３４は、ＣＭ特徴量算出部２３３から第一のＣＭ特徴量と、トリガ時刻とが送信されたことを契機として動作を開始し、ＣＭ特徴量算出部２３３から送信された第一のＣＭ特徴量と、トリガ時刻とを受信する（ステップＳ２３４ａ）。
【０１２５】
ＣＭ判定部２３４は、受信された第一のＣＭ特徴量を含むＣＭ特徴量を検索キーとして、ＣＭデータベース管理部２４０にＣＭデータベース部２５０のＣＭデータを検索させ、検索されたか否かによって、現在のテレビ放送信号はＣＭであるか否かの第一の判定を行なう（ステップＳ２３４ｂ）。
【０１２６】
ステップＳ２３４ｂで検索されない場合、ＣＭ判定部２３４は、放送中のテレビ信号はＣＭでないと判定して、ＣＭであるか否かを判定する動作を終了する。一方、検索された場合、ＣＭ判定部２３４は、放送中のテレビ信号はＣＭであると判定して、ＣＭ属性のＣＭフラグ２３５ａに「ＯＮ」を、ＣＭ識別子２３５ｂにステップＳ２３４ｂの検索で得られたＣＭデータのＣＭ識別子２５０ａを、ＣＭ時間長２３５ｃ及び残ＣＭ時間２３５ｄにその検索で得られたＣＭデータのＣＭ時間長２５０ｅを、そして、ＣＭ開始日時２３５ｅに上記トリガ時刻を、それぞれ設定して、ＣＭ属性記憶部２３５に記憶させる（ステップＳ２３４ｃ）。
【０１２７】
なお、トリガ時刻は、必ずしも放送中のＣＭが放送開始された日時ではないが、ＣＭの冒頭の無音区間は短いことが通例であり、トリガ時刻を放送中のＣＭが放送開始された日時として支障はない。
【０１２８】
検索されたＣＭデータが複数の場合、ＣＭ判定部２３４は、それぞれのＣＭデータの値をＣＭ属性に記憶させるが、ＣＭ開始日時２３５ｅに記憶される値は１つである。なお、複数のＣＭデータが検索されることは、第一のＣＭ特徴量が等しいＣＭであって、ＣＭ時間長２５０ｅが異なる、例えば、冒頭の内容は同じだが１５秒と３０秒のＣＭ、又は、第一のＣＭ特徴量及びＣＭ時間長２５０ｅは等しいが第二のＣＭ特徴量は異なる、例えば、同じ１５秒のＣＭだがアレンジなどの違いにより冒頭以外の内容が異なるＣＭのＣＭデータがＣＭデータベース部２５０に記憶されていることを意味する。
【０１２９】
続いて、ＣＭ判定部２３４は、ＣＭ特徴量算出部２３３から送信された第二のＣＭ特徴量を受信し（ステップＳ２３４ｄ）、この第二のＣＭ特徴量と、ステップＳ２３４ａで受信された第一のＣＭ特徴量とを検索キーとして、ＣＭデータベース管理部２４０にＣＭデータベース部２５０のＣＭデータを検索させ、検索されたか否かによって、現在のテレビ放送信号はＣＭであるか否かの第二の判定を行なう（ステップＳ２３４ｅ）。
【０１３０】
ステップＳ２３４ｅで検索された場合、ＣＭ判定部２３４は、放送中のテレビ信号はＣＭであると判定する。そして、ＣＭ属性に複数のＣＭに係る情報が記憶されている場合、検索されたＣＭデータは、それらの複数のＣＭのいずれかの１つに係るＣＭデータであるので、ＣＭ判定部２３４は、検索されたＣＭデータに起因する情報を残し、その他の情報をＣＭ属性から削除する。一方、ＣＭ属性に１つのＣＭに係る情報が記憶されている場合、検索されたＣＭデータは、ステップＳ２３４ｂで検索されたものと等しいので、ＣＭ判定部２３４は、更新処理をすることなく（ステップＳ２３４ｆ）、ＣＭであるか否かを判定する動作を終了する。
【０１３１】
一方、ステップＳ２３４ｅで検索されない場合、ＣＭ判定部２３４は、このステップでは放送中のテレビ信号はＣＭであるか否かの判定はできないため、その判定として、上記第一の判定以外に行うことはなく、ＣＭ属性に複数のＣＭに係る情報が記憶されている場合、いずれか１つを選択して、また、ＣＭ属性に１つのＣＭに係る情報が記憶されている場合、何もせずに（ステップＳ２３４ｇ）、ＣＭであるか否かを判定する動作を終了する。
【０１３２】
以上説明したように、ＣＭ判定部２３４は、２段階に分けてＣＭ判定を行うことで、ＣＭの放送開始から、ＣＭであると判定されるまでの遅延を低減し、かつ、ＣＭ時間長の精度及びＣＭ特定の精度を向上させることが可能となる。具体的にはＣＭの冒頭部分のテレビ放送信号は同じだが、長さが異なるＣＭが存在する場合、及び、ＣＭの冒頭部分のテレビ放送信号と長さは同じだが、アレンジなどの違いにより、冒頭以外の内容が異なるＣＭが存在する場合に効果を発揮する。
【０１３３】
例えば、あるＣＭの１５秒バージョンと３０秒バージョンとがあり、それらのＣＭ冒頭部分のテレビ放送信号が等しいとする。簡単のため１５秒バージョンをＣＭ１５、３０秒バージョンをＣＭ３０とする。
【０１３４】
例えばＣＭ１５に関する情報のみがＣＭデータとしてＣＭデータベース部２５０に記憶されている場合にＣＭ３０が放送された際のＣＭの検出を考える。この場合、ＣＭ１５と、ＣＭ３０との冒頭のテレビ放送信号は等しいので、ステップＳ２３４ｂの第一の判定ではＣＭと判定されて、ステップＳ２３４ｃで、ＣＭ時間長２３５ｃは１５秒として記憶される。しかしＣＭ３０は既に記憶されているＣＭ１５とは異なるので、ステップＳ２３４ｅの第二の判定ではＣＭであるか否か判定不能とされる。この場合、ＣＭ時間長２３５ｃを更新せずにＣＭ３０が開始から１５秒経過した時点でＣＭ区間終了とすると説明したが、これに限るものではない。
【０１３５】
この時点ではＣＭ３０に関する情報はＣＭデータベース部２５０に未だ記憶されていないので何秒継続するかは不明だが、１５秒バージョンの違う長さのバージョンとしてＣＭ時間長２３５ｃを３０秒に更新しても良いし、番組本編をＣＭ区間として判定するエラーを回避するため、直ちにＣＭ区間終了としても良く、更に、上記のいずれかを入力部１６０の所定のキー操作によって決定することにより、視聴者に選択させるような機構を備えても良い。
【０１３６】
次に、例えばＣＭ３０に関する情報のみがＣＭデータとしてＣＭデータベース部２５０に記憶されている場合にＣＭ１５が放送された際のＣＭの検出を考える。この場合も、ＣＭ１５と、ＣＭ３０との冒頭のテレビ放送信号は等しいので、ステップＳ２３４ｂの第一の判定ではＣＭであると判定されて、ステップＳ２３４ｃで、ＣＭ時間長２３５ｃは３０秒として記憶される。
【０１３７】
しかし、ＣＭ１５は既に記憶されているＣＭ３０とは異なるので、ステップＳ２３４ｅの第二の判定ではＣＭであるか否か判定不能とされる。この場合、ＣＭ時間長２３５ｃを更新せずにＣＭ１５が開始から３０秒経過した時点でＣＭ放送終了とすると説明したが、これに限るものではない。
【０１３８】
この時点ではＣＭ１５はＣＭデータベース部２５０に未だ記憶されていないので何秒継続するかは不明だが、３０秒バージョンの違う長さのバージョンとしてＣＭ時間長２３５ｃを、３０秒以外、例えば１５秒に更新しても良いし、番組本編をＣＭ区間として判定するエラーを回避するため、一意にＣＭ時間長２３５ｃを１５秒にするか、直ちにＣＭ区間終了としても良く、更に、上記のいずれかを入力部１６０の所定のキー操作によって決定することにより、視聴者に選択させるような機構を備えても良い。
【０１３９】
また、例えばＣＭ１５に関する情報とＣＭ３０に関する情報の両方ともＣＭデータとしてＣＭデータベース部２５０に記憶されている場合にＣＭ１５が放送された際のＣＭの検出を考える。この場合、ＣＭ冒頭のテレビ放送信号は等しいので、ステップＳ２３４ｂの第一の判定ではＣＭであると判定されて、ステップＳ２３４ｃでＣＭ時間長２３５ｃは１５秒及び３０秒として記憶される。しかし、ステップＳ２３４ｅの第二の判定でＣＭであると判定され、ステップＳ２３４ｆでは正しいＣＭ時間長２３５ｃである１５秒が更新記憶される。
【０１４０】
同様にＣＭ３０が放送された際のＣＭの検出の場合、ＣＭ冒頭のテレビ放送信号は等しいので、ステップＳ２３４ｂの第一の判定ではＣＭであると判定されて、ステップＳ２３４ｃでＣＭ時間長２３５ｃは１５秒及び３０秒と記憶される。しかし、ステップＳ２３４ｅの第二の判定でＣＭであると判定され、ステップＳ２３４ｆでは正しいＣＭ時間長２３５ｃである３０秒が更新記憶される。この様に、時間長は異なるが冒頭部分のテレビ放送信号が等しいＣＭが存在する場合、２段階でＣＭであるか否かの判定を行うことにより、ＣＭであると判定されるまでの遅延が長くなることなく、かつ、ＣＭ時間長２３５ｃを正しく記憶させることができるようになる。上記説明は、簡単のため１５秒バージョンＣＭと３０秒バージョンＣＭとを例に挙げたが、勿論これに限定するものではなく、２種類のみならず３種類以上の長さのバージョンＣＭが存在する場合も同様である。
【０１４１】
また、例えばある１５秒のＣＭのＡバージョンとＢバージョンとがあり、それらのＣＭの冒頭部分のテレビ放送信号が等しいとする。簡単のためＡバージョンをＣＭ−Ａ、ＢバージョンをＣＭ−Ｂとする。
【０１４２】
例えばＣＭ−Ａに関する情報のみがＣＭデータとしてＣＭデータベース部２５０に記憶されている場合にＣＭ−Ｂが放送された際のＣＭの検出を考える。この場合、ＣＭ−Ａと、ＣＭ−Ｂとの冒頭のテレビ放送信号は等しいので、ステップＳ２３４ｂの第一の判定ではＣＭと判定される。しかしＣＭ−Ｂは既に記憶されているＣＭ−Ａとは異なるので、ステップＳ２３４ｅの第二の判定ではＣＭではないと判定される。この場合、ＣＭ−Ｂが開始から１５秒経過した時点でＣＭ区間終了とすると説明したが、これに限るものではない。
【０１４３】
この時点ではＣＭ−Ｂに関する情報はＣＭデータベース部２５０に未だ記憶されていないので何秒継続するかは不明だが、番組本編をＣＭ区間として判定するエラーを回避するため、直ちにＣＭ区間終了としても良く、更に、上記のいずれかを入力部１６０の所定のキー操作によって決定することにより、視聴者に選択させるような機構を備えても良い。
【０１４４】
ＣＭ−ＢのみがＣＭデータベース部２５０に記憶されている場合に、ＣＭ−Ａが放送された際のＣＭ検出も上記と同様である。
【０１４５】
また、例えばＣＭ−Ａに関する情報とＣＭ−Ｂに関する情報の両方ともＣＭデータベース部２５０に記憶されている場合にＣＭ−Ａが放送された際のＣＭの検出を考える。この場合、ＣＭ冒頭のテレビ放送信号は等しいので、ステップＳ２３４ｂの第一の判定ではＣＭであると判定されるがＣＭ−ＡとＣＭ−Ｂのどちらであるかは不明である。しかし、ステップＳ２３４ｅの第二の判定でＣＭであると判定され、この時点でＣＭ−Ａであることが確定する。
【０１４６】
この様に、冒頭部分のテレビ放送信号が等しいＣＭが存在する場合、２段階でＣＭであるか否かの判定を行うことにより、ＣＭであると判定されるまでの遅延が長くなることがない。上記説明は、簡単のためＡバージョンＣＭとＢバージョンＣＭとを例に挙げたが、勿論これに限定するものではなく、２種類のみならず３種類以上のアレンジＣＭが存在する場合も同様である。
【０１４７】
ＣＭデータベース管理部２４０の動作の詳細を説明する。ＣＭデータベース管理部２４０は、所定の間隔、例えば、１時間おきに、若しくは、入力部１６０のキー操作に起因する制御部１１０からの指示に従って、また、第１の購入支援部３１０からの指示に従って動作を開始し、移動通信網送受信部１３０を介してＣＭ管理サーバ装置ＳＶ−１に対し、ＣＭデータ及びＣＭメタデータの送信を要求する。そして、この要求に応じて送られたＣＭデータ及びＣＭメタデータをＣＭデータベース部２５０に記憶させる。
【０１４８】
なお、この記憶させる動作の際、ＣＭデータベース管理部２４０は、既にＣＭデータベース部２５０に記憶されていたＣＭデータ及びＣＭメタデータを全て削除し、ＣＭ管理サーバ装置ＳＶ−１に記憶された全てのＣＭデータ及びＣＭメタデータを新たに記憶させると、データの一貫性の観点から好ましい。
【０１４９】
しかし、上記処理では、データ転送量が増えるため、ＣＭデータベース管理部２４０は、前回ＣＭ管理サーバ装置ＳＶ−１に対して送信を要求した日時を指定し、その日時以降に記憶内容に変化があったＣＭデータ及びＣＭメタデータの送信をＣＭ管理サーバ装置ＳＶ−１に要求する。そして、この要求に応じて送られたデータをＣＭデータベース部２５０に記憶させても良い。
【０１５０】
この処理の場合、ＣＭ管理サーバ装置ＳＶ−１から送信されたＣＭデータ及びＣＭメタデータには、ＣＭ識別子２５０ａ毎に、又は、ＣＭ識別子２５０ｆ毎に、変更であるか、追加であるか、削除であるかのいずれかである変化状況が付される。ＣＭデータベース管理部２４０は、付された変化状況に従い、ＣＭデータ又はＣＭメタデータを、それぞれ、更新記憶、追加記憶、又は削除させる。
【０１５１】
また、ＣＭデータベース管理部２４０は、ＣＭデータ取得条件を付すことによって、特定のＣＭに係るＣＭデータ及びＣＭメタデータの送信をＣＭ管理サーバ装置ＳＶ−１に要求しても良い。具体的には、ＣＭデータ取得条件は移動通信装置ＭＳが設置されている場所、又は、放送波の受信地域として設定している地域情報である。ワンセグ放送を含む、地上波デジタル放送は、地域ごとに異なる周波数帯で放送されており、また、地方局など、放送局が異なれば放送されるＣＭも異なる。
【０１５２】
より具体的には、第１の県で放送されるＣＭと第２の県で放送されるＣＭは異なるため、ＣＭ管理サーバ装置ＳＶ−１が、全国各地のＣＭデータを記憶している場合に、第１の県に位置する移動通信装置ＭＳが第２の県で放送されるＣＭのＣＭデータを記憶すると、無意味にＣＭデータベース部２５０のために大きな記憶容量を必要とする。
【０１５３】
なお、上記場所、又は、上記地域情報の一例は、緯度及び経度であって、移動通信装置ＭＳは、ＧＰＳ衛星から送信された電波によって測位する第１の測位部（図示せず）や複数存在する基地局ＢＳからの電波の受信強度から測位する第２の測位部（図示せず）、を備え、第１の測位部や、第２の測位部によって測位された緯度及び経度を上記地域情報とする。
【０１５４】
このように、ＣＭ管理サーバ装置ＳＶ−１からＣＭデータ及びＣＭメタデータを受信することにより、ＣＭデータベース管理部２４０は、未だ放送局からテレビ放送されていない、又は、放送受信部２１０によって受信されていないＣＭに関するＣＭデータ及びＣＭメタデータをＣＭデータベース部２５０に記憶させることができる可能性がある。ＣＭ管理サーバ装置ＳＶ−１では、網羅的に多くのＣＭに係るＣＭデータ及びＣＭメタデータを記憶しているからである。
【０１５５】
また、ＣＭデータベース管理部２４０は、ＣＭに係るＣＭデータと、ＣＭメタデータとを順次ＣＭデータベース部２５０から読み出す要求を受信すると、ＣＭデータをＣＭデータベース部２５０から読み出し、そのＣＭデータのＣＭ識別子２５０ａと等しいＣＭ識別子２５０ｆによって識別されるＣＭメタデータを読み出す。そして、これらのＣＭデータと、ＣＭメタデータとを回答することを、全てのＣＭデータについて繰り返す。
【０１５６】
また、ＣＭデータベース管理部２４０は、ＣＭ識別子を検索キーとするＣＭデータの検索要求を受信すると、そのＣＭ識別子と等しいＣＭ識別子２５０ａを含むＣＭデータをＣＭデータベース部２５０から検索し、その検索によって得られたＣＭデータを回答する。
【０１５７】
また、ＣＭデータベース管理部２４０は、ＣＭ特徴量を検索キーとするＣＭデータの検索要求を受信すると、そのＣＭ特徴量と等しいＣＭ特徴量２５０ｃを含むＣＭデータをＣＭデータベース部２５０から検索し、その検索によって得られたＣＭデータを回答する。この検索に際し、ＣＭデータベース管理部２４０は、検索キーであるＣＭ特徴量と、ＣＭ特徴量２５０ｃとの距離が所定の値未満である場合、等しいとする。検索キーであるＣＭ特徴量と、ＣＭ特徴量２５０ｃとの距離が全て所定の値以上である場合、検索されないとする。
【０１５８】
また、ＣＭデータベース管理部２４０は、ＣＭ識別子を検索キーとするＣＭメタデータの検索要求を受信すると、そのＣＭ識別子と等しいＣＭ識別子２５０ｆを含むＣＭメタデータをＣＭデータベース部２５０から検索し、その検索によって得られたＣＭメタデータを回答する。
【０１５９】
ＣＭ再視聴部２６０の動作の詳細を説明する。ＣＭ再視聴部２６０は、ＣＭデータベース管理部２４０に要求して、ＣＭに係るＣＭデータを順次ＣＭデータベース部２５０から読み出させる。そして、読み出されたＣＭデータ中のＣＭテレビ放送信号２５０ｄを放送受信部２１０の放送信号変形部２１４に送信する。更に、ＣＭフラグ２３５ａに「ＯＮ」を、ＣＭ識別子２３５ｂにＣＭ識別子２５０ａを、ＣＭ時間長２３５ｃ及び残ＣＭ時間２３５ｄにＣＭ時間長２５０ｅを、ＣＭ開始日時２３５ｅに現在の日時を設定したＣＭ属性をＣＭ属性記憶部２３５に記憶させる。
【０１６０】
ＣＭ再視聴部２６０によれば、重複なくＣＭデータベース部２５０記憶されたＣＭを視聴することができ、所望のＣＭを視聴することが容易に可能である。即ち、ＣＭのみを短時間で効率良く視聴する場合、一旦番組を録画してからＣＭ部分のみを視聴するのが一般的である。しかし、ある特定のＣＭを視聴したい場合、そのＣＭがなるべく高確率で含まれるように、不特定番組を長時間録画する必要があり、これでは意味のない大きな録画記憶領域が必要となる。
【０１６１】
この解決策として、録画番組からＣＭ区間を切り出し、小コンテンツとして保存できることが望ましいが、地上デジタルテレビ放送をデジタル録画した場合、著作権保護のため、あるひと塊りの録画番組からＣＭ部分のみを切り取って保存できる回数には限りがあるため、ＣＭ部分の小コンテンツを効率よく短時間で作成することはできない。
【０１６２】
図１９に示すフローチャートを参照して、第１の購入支援部３１０が放送中（録画再生中を含む。）のＣＭに係る物品の購入を支援する動作の詳細を説明する。第１の購入支援部３１０は、ＣＭ検出部２３０のＣＭ属性記憶部２３５のＣＭフラグ２３５ａに「ＯＮ」なる値が記憶された場合、購入支援の動作を開始し、購入支援のために、放送中のＣＭに係るＣＭメタデータ等を表示部１５０に表示をさせる。
【０１６３】
即ち、第１の購入支援部３１０は、ＣＭ識別子２３５ｂを検索キーに、ＣＭデータベース管理部２４０に指示してＣＭメタデータを検索させ、検索結果等を表示部１５０に表示させる。なお、ＣＭ識別子２３５ｂに複数の識別子が記憶されている場合、第１の購入支援部３１０は、直ちに動作を終了する。又は、その中の任意の１つの識別子が記憶されていたとみなして動作を続ける。
【０１６４】
また、ＣＭメタデータが検索されない、即ち、ＣＭメタデータがＣＭデータベース部２５０に記憶されていない場合、第１の購入支援部３１０は、ＣＭデータベース管理部２４０に指示してそのＣＭメタデータをＣＭ管理サーバ装置ＳＶ−１から転送させて、検索させる。又は、直ちに動作を終了しても良く、更に、ＣＭ識別子２５０ｆ以外には何ら情報が記憶されていないＣＭメタデータが検索されたとみなして動作しても良い。
【０１６５】
この表示と共に、着信報知用のバイブレータ（図示せず）の振動、着信報知用の第２のスピーカ（図示せず）からの音声の発生、表示部１５０に所定の画像の表示、テレビ放送信号の音声の音量の増大等によって報知する。なお、第１の購入支援部３１０は、ＣＭメタデータの検索に用いたＣＭ識別子２３５ｂを順序付けて、第１の購入支援部３１０内に記憶する（ステップＳ３１０ａ）。
【０１６６】
図２０は、この際の表示部１５０の表示の一例を示す。この一例は、２つの番組本編の間に図９に示すＣＭ識別子２５０ａが「１」〜「５」のＣＭが連続して放送されるとし、「４」のＣＭの放送が開始された直後の表示である。表示部１５０の左上部には、テレビ放送表示１５０ａが、左下部には、音量等制御表示１５０ｂがされている。なお、音量等制御表示１５０ｂは、テレビ放送の音声の音量の増大及び低下、受信するテレビ放送のチャンネル番号の下方向及び上方向の変化、更に、テレビ放送の録画を行うか及びその録画を停止するかを入力部１６０の所定のキー操作で指示可能であることが示されている。
【０１６７】
表示部１５０に右部には、第１の購入支援部３１０によってなされた、過去放送ＣＭ表示１５０ｃ、放送中ＣＭメタデータ表示１５０ｄ、及び、リンクボタン表示１５０ｅが上から下へ表示されている。
【０１６８】
過去放送ＣＭ表示１５０ｃは、第１の購入支援部３１０内に順序付けて記憶されたＣＭ識別子２３５ｂと、ＣＭ識別子２５０ａとが等しいことを検索キーに、ＣＭデータベース管理部２４０に指示してＣＭデータを検索させ、得られたＣＭデータに含まれるＣＭ名称２５０ｂが第１の購入支援部３１０によって表示される。この表示は、過去に放送されたＣＭのＣＭ名称２５０ｂを示す。なお、順序付けて記憶されたＣＭ識別子２３５ｂが多数である場合、得られたＣＭ名称２５０ｂの一部が表示され、表示される部分は、入力部１６０の所定の操作によってスクロールされる。又は、最近に第１の購入支援部３１０内に記憶された所定個数のＣＭ識別子２３５ｂに係るＣＭ名称２５０ｂが表示される。
【０１６９】
図２０に例示した過去放送ＣＭ表示１５０ｃは、図９に示すＣＭデータで、ＣＭ識別子２５０ａが「１」〜「３」であるＣＭが過去に放送された場合の表示である。なお、放送受信部２１０が再生しているテレビ放送信号は、放送記憶部２１３に記憶された信号である場合、過去放送ＣＭ表示１５０ｃは、将来の再生されるＣＭを含む、連続して放送されるＣＭ（この例では、ＣＭ識別子２５０ａが「１」〜「５」のＣＭ。）に係るＣＭ名称２５０ｂが表示されるとしても良い。
【０１７０】
放送中ＣＭメタデータ表示１５０ｄは、放送中のＣＭに係るＣＭメタデータの表示であって、対応付けられたＣＭデータ中のクーポン情報２５０ｍの表示が付加されている。クーポン情報２５０ｍの表示は、ＣＭを視聴する意識付けに効果がある。図２０に例示した放送中ＣＭメタデータ表示１５０ｄは、ＣＭ識別子２５０ａ及びＣＭ識別子２５０ｆが「４」であるＣＭが放送中の際の、図９に示すそのＣＭに係るＣＭ名称２５０ｂと、図１０に示すそのＣＭに係るＣＭメタデータの表示である。即ち、そのＣＭに係る物品紹介情報２５０ｉが列挙されている。列挙された物品紹介情報２５０ｉの中の１つは、入力部１６０の所定のキー操作によって選択される。
【０１７１】
なお、制御部１１０内に記憶された移動通信装置ＭＳの使用者の年齢、性別などのプロファイル、並びに、第１の購入支援部３１０内に記憶されたその使用者の好む趣味等、及び、その使用者の嫌う趣味等と、そのＣＭに係る販売対象２５０ｈとを参照することにより、第１の購入支援部３１０は、その使用者は物品紹介情報２５０ｉに興味を持つか否かを判断し、その判断に応じて表示が必要か否かを判断する。なお、上記使用者の好む趣味等は、入力部１６０のキー操作によって入力される他、リンクボタン表示１５０ｅ中のボタンが選択された場合、選択された物品紹介情報２５０ｉの解析結果から得られる。
【０１７２】
そして、第１の購入支援部３１０は、表示が不要と判断された物品紹介情報２５０ｉは表示させない。又は、輝度を下げて表示させる。なお、このＣＭが放送された回数を記憶し、その回数が所定の回数未満である場合、全ての物品紹介情報２５０ｉの表示が必要と判断しても良い。興味を持つか否かに拘らず、所定回数の表示による情報の報知は有用と判断されるからである。
【０１７３】
なお、ＣＭの全ての物品紹介情報２５０ｉの表示が不要と判断された場合、第１の購入支援部３１０は、表示部１５０の全表示の輝度を下げて表示させても良く、また、テレビ放送信号の音声の音量の低下をさせても良い。また、ＣＭの全ての物品紹介情報２５０ｉの表示が不要と判断され、かつ、放送受信部２１０が再生しているテレビ放送信号は、放送記憶部２１３に記憶された信号である、又は、ＣＭ再視聴部２６０から送信された信号である場合、第１の購入支援部３１０は、制御部１１０に要求して、そのＣＭの再生を早送り再生や、スキップさせても良い。
【０１７４】
ここで、装置の使用者は、大人の男性であり、趣味は音楽であるとし、図２０には、「衣装」なる物品紹介情報２５０ｉは表示されていない。なお、販売対象２５０ｈに情報が記憶されていない場合（図１０では、「−」で示す。）、第１の購入支援部３１０は、表示が不要と判断しても、必要と判断しても良い。図２０は、必要と判断した例であり、また、放送中ＣＭメタデータ表示１５０ｄで、表示された物品紹介情報２５０ｉに対して販売ＵＲＬ２５０ｊが記憶されていることをハッチングにより示す。
【０１７５】
リンクボタン表示１５０ｅは、選択された物品紹介情報２５０ｉに対する入力部１６０の所定のキー操作による指示を示し、「購入サイト」、「ＣＭメモ」、「いろいろリンク」、及び「情報を転送」の４つボタンの表示からなる。
【０１７６】
図１９を参照した第１の購入支援部３１０の動作説明に戻る。第１の購入支援部３１０は、購入品情報記憶部３２０に購入品情報を記憶させる（ステップＳ３１０ｂ）。即ち、放送中ＣＭメタデータ表示１５０ｄに含まれる物品紹介情報２５０ｉに対応する物品識別情報２５０ｇがＣＭメタデータに記憶されている場合、購入品情報を記憶させる。
【０１７７】
ここで、記憶とは、新規記憶の場合と更新記憶の場合とがある。その物品識別情報２５０ｇと等しい物品識別情報３２０ｂを含む購入品情報が記憶されていない場合、第１の購入支援部３１０は、購入フラグ３２０ａに「ＯＦＦ」を、物品識別情報３２０ｂに物品識別情報２５０ｇを、そして、視聴回数・場所３２０ｃに、視聴した場所での視聴回数として「１」を設定した購入品情報を新規記憶させる。視聴した場所が自宅か、鉄道乗車中かは、第１の測位部及び／又は第２の測位部を動作させて判断する。この視聴回数・場所３２０ｃに記憶させる処理は、ＣＭメタデータのクーポン情報２５０ｍが示すクーポンを用いるための処理である。
【０１７８】
一方、その物品識別情報２５０ｇと等しい物品識別情報３２０ｂを含む購入品情報が記憶されている場合、第１の購入支援部３１０は、関連付けられた視聴回数・場所３２０ｃを更新記憶する。即ち、視聴した場所が自宅か、鉄道乗車中かを第１の測位部及び／又は第２の測位部を動作させて判断し、視聴した場所での視聴回数に１を加えて、更新記憶させる。
【０１７９】
続いて、第１の購入支援部３１０は、入力部１６０からのキー操作を判断する（ステップＳ３１０ｃ）。キー操作がリンクボタン表示１５０ｅ中の「購入サイト」を選択する操作である場合、即時の購買支援を行う（ステップＳ３１０ｄ）。即ち、選択された物品紹介情報２５０ｉに係る販売ＵＲＬ２５０ｊが示す販売サーバ装置ＳＶ−２へアクセスし、ステップＳ３１０ｃのキー操作を判断する動作に移る。このキー操作は、その販売ＵＲＬ２５０ｊが記憶されている場合に可能である。
【０１８０】
また、既に述べたように、このアクセスにより、選択された物品紹介情報２５０ｉに係る物品識別情報２５０ｇで識別される物品の購入が可能である。なお、このアクセスに際し、第１の購入支援部３１０は、販売サーバ装置ＳＶ−２からの要求に応じて、その物品識別情報２５０ｇと等しい物品識別情報３２０ｂと関連付けられた視聴回数・場所３２０ｃを送信する。また、購入処理完了に伴い、販売サーバ装置ＳＶ−２から視聴回数・場所が送信された場合、その視聴回数・場所を視聴回数・場所３２０ｃに更新記憶させる。この更新は、購入に伴い、ポイントを用いたことに対応する。
【０１８１】
なお、この購入処理の完了に伴い、第１の購入支援部３１０は、その物品識別情報３２０ｂを含む購入品情報を削除しても良い。なぜなら、購入完了に伴い、購入の興味は失われたからである。また、入力部１６０の操作に基づいて削除しても良い。
【０１８２】
なお、このアクセスに際し（以後に説明する他のＵＲＬへのアクセスの際を含む。）、第１の購入支援部３１０は、表示部１５０の表示画面の任意の部分を用いる。例えば、放送中ＣＭメタデータ表示１５０ｄの部分を用い、また、テレビ放送表示１５０ａを表示させず、全表示画面を用いても良い。
【０１８３】
キー操作がリンクボタン表示１５０ｅ中の「ＣＭメモ」を選択する操作である場合、第１の購入支援部３１０は、遅延購買支援を行う（ステップＳ３１０ｅ）。即ち、選択された物品紹介情報２５０ｉに係る物品識別情報２５０ｇと等しい物品識別情報３２０ｂと関連付けられた購入フラグ３２０ａを「ＯＮ」に更新記憶させて、ステップＳ３１０ｃのキー操作を判断する動作に移る。
【０１８４】
キー操作がリンクボタン表示１５０ｅ中の「いろいろリンク」を選択する操作である場合、第１の購入支援部３１０は、選択された物品紹介情報２５０ｉに係る参考ＵＲＬ２５０ｋに情報が記憶されている場合、そのＵＲＬへアクセスし、記憶されていない場合、選択された物品紹介情報２５０ｉを検索キーに検索用のサーバ装置（図示せず）へアクセスし、このアクセスによって得られたサイトへアクセスする（ステップＳ３１０ｆ）。そして、ステップＳ３１０ｃのキー操作を判断する動作に移る。
【０１８５】
キー操作がリンクボタン表示１５０ｅ中の「情報を転送」を選択する操作である場合、第１の購入支援部３１０は、放送中のＣＭに係るＣＭメタデータ、又は、選択された物品紹介情報２５０ｉに係るＣＭメタデータを所定の装置に転送する（ステップＳ３１０ｇ）。例えば、電子メール送受信部（図示せず）に要求して、所定の電子メールアドレス宛てに送信させる。また、インターネットＩＮを介して接続された所定の情報記憶用サーバ装置（図示せず）に記憶させる。そして、ステップＳ３１０ｃのキー操作を判断する動作に移る。
【０１８６】
なお、キー操作が過去放送ＣＭ表示１５０ｃの１つの表示を選択する操作である場合、第１の購入支援部３１０は、その選択されたＣＭのＣＭメタデータを放送中ＣＭメタデータ表示１５０ｄに表示させる（図示せず）。また、放送中ＣＭメタデータ表示１５０ｄ中の１つの表示を選択する操作である場合、その１つの表示を選択する（図示せず）。一方、キー操作が音量等制御表示１５０ｂに係る操作である場合、この操作は、制御部１１０によって、放送受信部２１０に送られる。
【０１８７】
第１の購入支援部３１０は、放送中ＣＭメタデータ表示１５０ｄに係るＣＭの放送が終了した場合、購入支援の動作を終了する（図示せず）。従って、過去放送ＣＭ表示１５０ｃ、放送中ＣＭメタデータ表示１５０ｄ、及びリンクボタン表示１５０ｅの表示を終了し、表示部１５０の全表示画面は、放送受信部２１０によって、テレビ放送表示１５０ａ及び音量等制御表示１５０ｂに用いられる。しかし、これに限るものではなく、例えば、ＵＲＬへのアクセス中は、そのアクセス終了に至るまで、動作を続けても良い。
【０１８８】
以上の説明は、表示部１５０と、入力部１６０とが別に設置されているとしたが、これに限るものではない。入力部１６０はタッチパッドであって、タッチパネルとして表示部１５０と一体に設置されている場合、表示部１５０の表示画面の各表示が行われている部分に指や、タッチパネルで触れることによってキー操作と同様の入力がされる。
【０１８９】
以上の説明で、第１の購入支援部３１０は、ステップＳ３１０ｂで、放送中ＣＭメタデータ表示１５０ｄに含まれる物品紹介情報２５０ｉに対応する物品識別情報２５０ｇがＣＭメタデータに記憶されている場合、入力部１６０のキー操作に拘らず、言い換えると、移動通信装置ＭＳの使用者が放送中ＣＭメタデータ表示１５０ｄを視認したか否かに拘らず、購入品情報を新規記憶又は更新記憶するとした。これは、その使用者がＣＭに注目していたか否かに拘らず、視聴回数に応じたクーポンを付す方式に対応したものであるが、この方式に限るものではない。
【０１９０】
例えば、購入フラグ３２０ａが「ＯＮ」である購入品情報を更新記憶するとしても良い。これは、移動通信装置ＭＳの使用者が、一旦その物品識別情報２５０ｇに興味があることを入力部１６０のキー操作によって、意識的に入力した後の視聴回数に応じたクーポンを付す方式に対応している。また、入力部１６０のキー操作によってＣＭを視聴した旨を示す入力が行われた場合、購入品情報を新規記憶又は更新記憶するとしても良い。これは、移動通信装置ＭＳの使用者が放送中ＣＭメタデータ表示１５０ｄを注目して視聴した回数に応じたクーポンを付す方式に対応している。
【０１９１】
図２１に示すフローチャートを参照して、第２の購入支援部３３０が過去に放送されたＣＭに係る物品の購入を支援する動作の詳細を説明する。第２の購入支援部３３０は、移動通信網送受信部１３０によってフェムト基地局ＢＳ−２が選択された場合、購入支援の動作を開始する。
【０１９２】
そして、第２の購入支援部３３０は、そのフェムト基地局ＢＳ−２から、そのフェムト基地局ＢＳ−２が設置された店舗を識別する情報を受信し、その情報と、「ＯＮ」なる購入フラグ３２０ａと関連付けられた物品識別情報３２０ｂ（購入希望の物品を表す。）との対を販売店管理サーバ装置ＳＶ−３に送信し、その店舗で、購入希望の物品を販売しているか否かを検索させる（ステップＳ３３０ａ）。なお、上記物品識別情報３２０ｂの個数は、０以上の自然数であるが、０である場合、直ちに購入支援の動作を終了する（図示せず）。
【０１９３】
第２の購入支援部３３０は、上記検索結果によって販売しているか否かを判断し（ステップＳ３３０ｂ）、いずれの購入希望の物品も販売していない場合、購入支援の動作を終了する。購入希望の物品の１つでも販売している場合、販売している物品があることを報知する（ステップＳ３３０ｃ）。報知の方法は問わないが、例えば、例えば、上記物品識別情報３２０ｂと等しい物品識別情報２５０ｇに対する物品紹介情報２５０ｉの表示を含む、表示部１５０への表示、着信報知用のバイブレータの振動、着信報知用の第２のスピーカからの音声の発生等による。ここで、上記店舗を示す情報を表示部１５０に表示させても良い。
【０１９４】
移動通信装置ＭＳの使用者が上記店舗で購入希望の物品を購入する際、第２の購入支援部３３０は、店舗のレジスタ（図示せず）と接続されたリーダライタ装置ＲＷから送信された購入品を要求する信号に応じて、上記物品識別情報３２０ｂを送信させることにより、ＮＦＣ通信部１７０を介して購入品を通知する。
【０１９５】
更に、リーダライタ装置ＲＷから送信された、購入された物品の物品識別情報３２０ｂと関連付けて記憶されたクーポン情報を要求する信号がＮＦＣ通信部１７０によって受信されることがある。この要求に対し、第２の購入支援部３３０は、その物品識別情報３２０ｂと対をなす視聴回数・場所３２０ｃを、ＮＦＣ通信部１７０を介してリーダライタ装置ＲＷに向けて送信させる（ステップＳ３３０ｄ）。
【０１９６】
なお、上記物品識別情報３２０ｂ及び／又は視聴回数・場所３２０ｃの送信は、ＮＦＣ通信部１７０を介すると限るものではない。例えば、第２の購入支援部３３０は、物品識別情報３２０ｂ及び／又は視聴回数・場所３２０ｃをＱＲコード（登録商標）などの二次元コードとして表示部１５０に表示させ、レジスタと接続された二次元コード読み取り部（図示せず）によって読み取られるとしても良い。
【０１９７】
ここで、上記物品識別情報３２０ｂと対をなす購入フラグ３２０ａは、「ＯＮ」であるが、「ＯＦＦ」であっても支障はない。「ＯＦＦ」である場合、ＣＭ視聴時には購入を希望しなかった物品の購入に対して視聴回数・場所３２０ｃによるクーポンを有効に使用したことになる。また、対価の支払いは、電子マネー又はクレジットカードによって行われ、ＮＦＣ通信部１７０を介した通信によって決済されても良い。
【０１９８】
購入に伴い、第２の購入支援部３３０は、購入品情報を更新して（ステップＳ３３０ｅ）、購入支援の動作を終了する。即ち、先ず、視聴回数・場所３２０ｃによるクーポンの使用に伴い、ステップＳ３３０ｄの視聴回数・場所３２０ｃの送信と共に、ＮＦＣ通信部１７０によって受信されたリーダライタ装置ＲＷからの指示に従い、その視聴回数・場所３２０ｃを更新する。この更新は、１回の購入毎に視聴回数・場所３２０ｃによるクーポンが減る方式の場合に行われる。指示が受信されない場合、視聴回数・場所３２０ｃを更新しない。
【０１９９】
次に、第２の購入支援部３３０は、上記物品識別情報３２０ｂと対をなす購入フラグ３２０ａを「ＯＦＦ」に更新する。希望した購入が行われたからであるが、必ずしもこれに限らない。入力部１６０のキー操作に依存して更新し、また、更新しなくとも良い。更に、上記物品識別情報３２０ｂを含む購入品情報を削除しても良い。希望した購入が行われたからである。
【０２００】
以上の説明で、第２の購入支援部３３０は、フェムト基地局ＢＳ−２が選択された場合、購入支援の動作を開始するとしたが、これに限るものではない。入力部１６０のキー操作によって店舗を識別する情報が入力された場合、動作を開始しても良い。また、移動通信装置ＭＳがブルートゥース（登録商標、Bluetooth）方式の通信部（図示せず）を有し、その通信部が店舗を識別する情報を受信した場合、動作を開始しても良い。
【０２０１】
また、第２の購入支援部３３０は、放送受信部２１０が店舗独自のテレビ放送を受信した場合、動作を開始しても良い。更には、移動通信装置ＭＳがＱＲコード（Ｒ）などの二次元コード読み取り部を有し、その読み取り部が、例えば店舗の店頭に貼付された二次元コードを読み取ることによって店舗を識別する情報が得られた場合、動作を開始しても良い。
【０２０２】
以上の説明で、第２の購入支援部３３０、移動通信装置ＭＳが店舗内又は店舗周辺にある場合に動作するとしたが、これに限るものではない。入力部１６０のキー操作に従って、販売サーバ装置ＳＶ−２へのアクセスによって動作しても良い。この動作は、第１の購入支援部３１０の動作に準じ、ＮＦＣ通信部１７０による通信に代えて、移動通信網送受信部１３０による通信が行われる。また、入力部１６０のキー操作に従って、購入品情報を表示部１５０に表示し、更新し、また、削除するとしても良い。なお、視聴回数・場所３２０ｃは、入力部１６０のキー操作に従って更新することはない。
【０２０３】
既に説明したように、移動通信装置ＭＳのＣＭデータベース部２５０に記憶されるＣＭデータと、ＣＭメタデータとは、ＣＭ管理サーバ装置ＳＶ−１のＣＭデータベース部５５０に記憶されたデータが転送されたものである。そこで、次に、ＣＭ管理サーバ装置ＳＶ−１がＣＭデータベース部５５０にＣＭデータと、ＣＭメタデータとを記憶させる処理の詳細を説明する。
【０２０４】
図２２に示すフローチャートを参照して、遅延型ＣＭ検出部５３３が放送された信号がＣＭであるか否かを検出する動作の詳細を説明する。遅延型ＣＭ検出部５３３は、トリガ検出部２３２によってトリガ時刻が送信された場合、動作を開始し、その時刻の略１５秒後にトリガ検出部２３２によってトリガ時刻が送信されるか否かを判定する（ステップＳ５３３ａ）。トリガ時刻が送信された場合、動作開始の契機となったトリガ時刻と、ＣＭ時間長として１５秒とをＣＭデータ登録部５３４へ送信し（ステップＳ５３３ｂ）、動作を終了する。
【０２０５】
ステップＳ５３３ａでトリガ時刻が送信されなかった場合、遅延型ＣＭ検出部５３３は、動作を開始する契機となったトリガ時刻の略３０秒後にトリガ検出部２３２によってトリガ時刻が送信されるか否かを判定する（ステップＳ５３３ｃ）。トリガ時刻が送信された場合、既に説明したように、ＣＭデータ登録部５３４へ情報を送信し（ステップＳ５３３ｂ）、動作を終了する。ここで、ＣＭデータ登録部５３４へ送信するＣＭ時間長は３０秒である。
【０２０６】
ステップＳ５３３ｃでトリガ時刻が送信されなかった場合、遅延型ＣＭ検出部５３３は、同様に、動作を開始する契機となったトリガ時刻の略４５秒後にトリガ検出部２３２によってトリガ時刻が送信されるか否かを判定し（ステップＳ５３３ｄ）、更には、６０秒後にトリガ時刻が送信されるか否かを判定し（ステップＳ５３３ｅ）、それぞれ送信された場合、ＣＭデータ登録部５３４へ情報を送信し（ステップＳ５３３ｂ）、動作を終了する。ここで、ＣＭデータ登録部５３４へ送信するＣＭ時間長は、それぞれ４５秒、６０秒である。ステップＳ５３３ｅでトリガ時刻が送信されなかった場合、遅延型ＣＭ検出部５３３は、動作を終了する。
【０２０７】
図２３に示すフローチャートを参照して、ＣＭデータ登録部５３４がＣＭデータをＣＭデータベース部５５０に記憶させる動作の詳細を説明する。ＣＭデータ登録部５３４は、ＣＭ特徴量算出部２３３からの送信により動作を開始し、ＣＭ特徴量算出部２３３から送信されたＣＭ特徴量と、トリガ時刻とを受信し、関連付けてＣＭデータ登録部５３４内に記憶する（ステップＳ５３４ａ）。
【０２０８】
そして、ＣＭデータ登録部５３４は、遅延型ＣＭ検出部５３３によってＣＭ時間長と、トリガ時刻とが送信された場合、それらを受信して、そのトリガ時刻と等しいトリガ時刻と関連付けられてＣＭデータ登録部５３４内に記憶されたＣＭ特徴量とのリンクを取り、ＣＭデータ（仮）として記憶する（ステップＳ５３４ｂ）。なお、ステップＳ５３４ａのＣＭ特徴量算出部２３３からの送信と、ステップＳ５３４ｂの遅延型ＣＭ検出部５３３からの送信とは、任意の順で繰り返されるが、以後の説明では、繰り返しの詳細を省略して、簡明な説明とする。
【０２０９】
即ち、ＣＭデータ登録部５３４は、ＣＭ特徴量算出部２３３から送信されたＣＭ特徴量をＣＭ特徴量２５０ｃに、遅延型ＣＭ検出部５３３によって送信されたＣＭ時間長をＣＭ時間長２５０ｅに、ＣＭ特徴量算出部２３３から送信されたトリガ時刻からそのＣＭ時間長のテレビ放送信号をテレビ放送信号一時記憶部５３２から読み出してＣＭテレビ放送信号２５０ｄに設定したＣＭデータ（仮）を、ＣＭデータ登録部５３４内のバッファに、上記トリガ時刻をソートキーにソートして一時記憶する。
【０２１０】
ＣＭデータ登録部５３４は、トリガ時刻が現在時刻より１分〜数分以上古いＣＭデータ（仮）を対象に、又は、１分〜数分の長さの時間に含まれる時刻のトリガ時刻を含むＣＭデータ（仮）がバッファに記憶されていない場合、その時間に含まれる時刻より前のトリガ時刻を含むＣＭデータ（仮）を対象に、トリガ時刻と、ＣＭ時間長２５０ｅとを参照して、ＣＭの確度を設定する（ステップＳ５３４ｃ）。ここで、この１分〜数分とは、ＣＭが連続して放送されたか否かを判断するために充分な長さとして決定される値である。
【０２１１】
ＣＭの確度は、多数のＣＭと共に時間的に連続して放送されたＣＭに対して大きい値を、少数のＣＭと共に連続して放送されたＣＭに対して小さい値とする。特に、１つのＣＭが単体で放送された場合、そのＣＭに対しては特に小さい値とする。なぜなら、ＣＭは、連続して放送される場合が多いからであり、単体で放送されたＣＭは、遅延型ＣＭ検出部５３３によって誤ってＣＭとされた可能性が大きいからである。
【０２１２】
更に、遅延型ＣＭ検出部５３３によるＣＭの検出の際、ＣＭの途中にトリガ時刻が受信された、即ち、無音区間がある旨が遅延型ＣＭ検出部５３３から送信された場合、そのＣＭの確度は、途中にトリガ時刻が受信されない場合に比較して小とする。なぜなら、途中に無音区間があるＣＭは少数だからである。そして、ＣＭデータ登録部５３４は、特にＣＭの確度が小さいＣＭデータ（仮）をバッファから削除する。例えば、単体で放送されたＣＭに係るＣＭデータ（仮）であり、また、ＣＭ時間長２５０ｅが１５秒であるＣＭが２つ連続して放送されたＣＭに係るＣＭデータ（仮）である。
【０２１３】
ＣＭデータ登録部５３４は、ＣＭデータベース管理部５４０に指示して、バッファから削除されなかったＣＭデータ（仮）をＣＭデータとしてＣＭデータベース部５５０に記憶させて（ステップＳ５３４ｄ）、バッファから削除する。なお、この記憶をさせる際、ＣＭ識別子２５０ａ及びＣＭ名称２５０ｂに適宜ＣＭデータを一意に識別可能な値を設定して、ＣＭデータ（仮）に追加する。
【０２１４】
なお、ＣＭデータ登録部５３４は、ＣＭの確度が小さいＣＭデータ（仮）をＣＭデータベース部５５０に記憶させず、バッファに記憶させ続けても良い。そして、そのＣＭデータ（仮）がＣＭ特徴量算出部２３３からの送信と、遅延型ＣＭ検出部５３３からの送信によって再度得られた場合、そのＣＭデータ（仮）のＣＭの確度を増加させても良い。そして、ＣＭの確度の１回又は複数回の増加の結果、そのＣＭデータ（仮）をＣＭデータベース部５５０に記憶させる。ＣＭデータ登録部５３４は、ＣＭ特徴量算出部２３３からの送信と、遅延型ＣＭ検出部５３３からの送信を常に受信し、以上の動作を繰り返し続ける。
【０２１５】
ＣＭデータベース管理部５４０の動作の詳細を説明する。ＣＭデータベース管理部５４０は、ＣＭデータベース部５５０に記憶されたデータを管理する。ＣＭデータベース管理部５４０は、ＣＭデータ（仮）をＣＭデータベース部５５０に記憶させる要求を受信すると、そのＣＭデータ（仮）をＣＭデータとしてＣＭデータベース部５５０に記憶させる。
【０２１６】
なお、ＣＭデータ（仮）のＣＭ特徴量２５０ｃが既にＣＭデータのＣＭ特徴量２５０ｃとして、かつ、ＣＭデータ（仮）のＣＭ時間長２５０ｅが既にＣＭデータのＣＭ時間長２５０ｅとしてＣＭデータベース部５５０に記憶されている場合、ＣＭデータベース管理部５４０は、ＣＭデータ（仮）をＣＭデータベース部５５０に記憶させない。二重記憶を避けるためである。なお、記憶されているか否かを調べる際、ＣＭデータ（仮）のＣＭ特徴量２５０ｃと、ＣＭデータのＣＭ特徴量２５０ｃとの間の距離によって判断することは、ＣＭデータベース管理部２４０の動作説明で述べた通りである。
【０２１７】
ＣＭデータベース管理部５４０は、外部記憶媒体接続部５６０に接続された記憶媒体に記憶されたＣＭデータ（仮）をＣＭデータとしてＣＭデータベース部５５０に記憶させる要求が入力部４５０の所定のキー操作によってなされた場合、そのＣＭデータ（仮）をＣＭデータとしてＣＭデータベース部５５０に記憶させる。
【０２１８】
また、ＣＭデータベース管理部５４０は、ＣＭデータベース部５５０に記憶されたＣＭデータの修正（削除を含む。）が入力部４５０のキー操作によってされた場合、そのＣＭデータを更新記憶させる。これは、ＣＭデータ登録部５３４によるＣＭデータ（仮）の誤りの訂正を目的とするものである。また、ＣＭメタデータの一部、又は、全部が入力部４５０のキー操作によって入力、又は、修正（削除を含む。）された場合、そのＣＭメタデータをＣＭデータベース部５５０に追加記憶、又は、更新記憶させる。この際、ＣＭデータを表示部４４０に表示させても良い。また、ＣＭテレビ放送信号２５０ｄを放送受信部５１０の再生部２１５に再生させても良い。
【０２１９】
また、ＣＭデータベース管理部５４０は、外部記憶媒体接続部５６０に接続された記憶媒体に記憶されたＣＭデータ及び／又はＣＭメタデータをＣＭデータベース部５５０に記憶させる要求が入力部４５０の所定のキー操作によってなされた場合、そのＣＭデータ及び／又はＣＭメタデータをＣＭデータベース部５５０に記憶させる。ここで、あるＣＭに対して、ＣＭデータのＣＭ識別子２５０ａと、ＣＭメタデータのＣＭ識別子２５０ｆとは、同じ情報が記憶されているとする。
【０２２０】
外部記憶媒体接続部５６０に接続された記憶媒体に記憶された、これらのＣＭデータ及びＣＭメタデータは、例えば、ＣＭの内容及びＣＭの放送回数と、そのＣＭで購入を促した物品の販売実績等との関係を調査するマーケッティングに係る情報の一環として、専門の事業者によって作成されたものである。また、ＣＭメタデータは、ＣＭ放送のスポンサーや、広告代理店によってＣＭ放送の効果を高めるために作成されることもある。
【０２２１】
そこで、これらのデータは、充分な信頼性を有している。例えば、３０秒のＣＭの丁度中間の冒頭から１５秒の部分に無音区間がある場合、そのＣＭは、ＣＭデータ登録部５３４によって作成されたＣＭデータ（仮）従うと２つのＣＭとみなされることがあるが、記憶媒体に記憶されたデータは、このような誤りの存在は無視し得る。なお、これらのデータは、記憶媒体を介して入力されると限るものではない。例えば、インターネットＩＮを介して受信されるとしても良い。
【０２２２】
以上のＣＭデータベース管理部５４０の処理の結果、ＣＭデータベース部５５０に記憶されたＣＭデータは、ＣＭデータ登録部５３４によって作成されたデータ、及び／又は、外部記憶媒体接続部５６０に接続された記憶媒体に記憶されたデータである。また、ＣＭメタデータは、入力部１６０のキー操作によって入力されたデータ、及び／又は、外部記憶媒体接続部５６０に接続された記憶媒体に記憶されたデータである。なお、あるＣＭに対し、ＣＭデータ及びＣＭメタデータの両方が記憶されていると限るものではなく、一方が記憶されていることもある。
【０２２３】
また、ＣＭデータベース管理部５４０は、ＣＭデータベース部５５０に記憶されたＣＭデータ及び／又はＣＭメタデータの中で、ＣＭデータベース部５５０に記憶された日時が古いもの、また、外部記憶媒体接続部５６０に接続された記憶媒体に削除の指示が記憶されたものを削除する。これは、将来放送される可能性が低いものを削除することを意味する。
【０２２４】
ＣＭデータベース管理部５４０は、ＣＭデータベース部５５０に記憶されたＣＭデータ及び／又はＣＭメタデータの送信要求を移動通信装置ＭＳから受信すると、それらのデータを送信する。なお、所定の条件を付した送信要求に対しては、その条件を満たすＣＭデータ及び／又はＣＭメタデータを送信する。
【０２２５】
例えば、ＣＭデータ及びＣＭメタデータには、ＣＭ識別子２５０ａ毎に、又は、ＣＭ識別子２５０ｆ毎に、変更、追加、削除のいずれかが行われた日時からなる変更履歴（図示せず）を併せて記憶させる。そして、日時が指定され、その日時以降に記憶内容に変化があったＣＭデータ及びＣＭメタデータの送信が要求されると、ＣＭデータベース管理部５４０は、変更履歴の日時を参照して、要求されたデータを送信する。ここで、データには、その日時以降に、変更、追加、削除のいずれが行われたかを付して送信する。
【０２２６】
また、ＣＭデータ及びＣＭメタデータには、ＣＭ識別子２５０ａ毎に、又は、ＣＭ識別子２５０ｆ毎に、そのＣＭが放送される、又は、された地域（図示せず）を併せて記憶させる。そして、場所を識別する情報、例えば、緯度及び経度が指定され、その場所で放送される、又は、されたＣＭのＣＭデータ及びＣＭメタデータの送信が要求されると、ＣＭデータベース管理部５４０は、その場所が上記地域に含まれるＣＭデータ及びＣＭメタデータを送信する。
【０２２７】
（第１の変形例）
以上の説明では、ＣＭ特徴量算出部２３３は、第一のＣＭ特徴量と、第二のＣＭ特徴量とを算出するとしたが、第一のＣＭ特徴量を算出し、第二のＣＭ特徴量を算出しないとしても良い。この場合、当然に、ＣＭ判定部２３４は、図１８のフローチャートに示すステップＳ２３４ｄ〜ステップＳ２３４ｇまでの動作を行わない。また、ＣＭデータ登録部５３４は、ＣＭ特徴量２５０ｃに第二のＣＭ特徴量を含ませない。
【０２２８】
この処理によって、例えば、冒頭が同じで、ＣＭ時間長２５０ｅが異なるＣＭを区別して検出することができないが、ＣＭ特徴量算出部２３３の動作と、ＣＭ判定部２３４の動作とは、短時間で終了し、大幅な処理の削減となる。
【０２２９】
（第２の変形例）
以上の説明で、ＣＭ検出部２３０は、放送局から送信されるテレビ放送信号に従って、又は、放送受信部２１０の放送記憶部２１３に記憶されたテレビ放送信号に従って、ＣＭを検出するとしたが、これに限るものではない。タイムシフト再生中のテレビ放送信号に従って検出しても良い。
【０２３０】
タイムシフト再生の目的の一例は、トリガ時刻からＣＭ判定部２３４によってＣＭであると判定されるまでの時間を、見かけ上、なくすことである。即ち、放送受信部２１０は、受信されたテレビ放送信号を遅延なしにＣＭ検出部２３０に送りつつ、その時間分のタイムシフト再生を行う。そして、ＣＭ判定部２３４によってＣＭであると判定された際に、第１の購入支援部３１０は、ＣＭメタデータを表示部１５０に表示させることによって、視聴者にとって、その時間はない。
【０２３１】
タイムシフト再生においては、録画されたテレビ放送信号の再生とは異なり、放送された内容が繰り返し再生されることがないため、購入品情報記憶部３２０に記憶された視聴回数・場所３２０ｃの第１の購入支援部３１０による更新に何ら支障は生じない。
【０２３２】
タイムシフト再生の目的の別の例は、移動通信装置ＭＳが備える放送受信部２１０に特有なものであって、放送受信部２１０がテレビ放送を受信して、映像や音声を出力している際に通話が開始され、通話中はテレビ放送信号が放送記憶部２１３に記憶され、映像や音声の出力が停止されて、通話が終了した後にタイムシフト再生が行われる。
【０２３３】
なお、タイムシフト再生ではない、録画された、即ち、放送記憶部２１３に記憶された放送の再生の際、本発明の適用が可能であるが、１回放送されたＣＭを複数回再生することがあるため、録画された放送の再生の際、購入品情報記憶部３２０に記憶された視聴回数・場所３２０ｃの第１の購入支援部３１０による更新は、録画された放送の視聴回数を別個に記憶することとして、更新する。
【０２３４】
なお、上記更新方法以外にも、以下の更新方法でも良い。第１に、更新されないとする。第２に、録画されていないテレビ放送を視聴した場合と同じく更新する。これらのいずれを選択するかは、クーポン情報２５０ｍに依存して決定される。
【０２３５】
（第３の変形例）
この実施形態で、放送受信部２１０は、デジタルテレビ放送を受信するとしたが、これに限るものではない。アナログテレビ放送を受信するとしても良い。この場合、放送受信部２１０は、デコーダ部２１２に代えて復調部（図示せず）を、再生部２１５に代えて映像音声出力制御部（図示せず）を有する。そして、復調部による復調によって得られたアナログ信号であるテレビ放送信号がＣＭ検出部２３０へ送られる。
【０２３６】
この変形例で、ＣＭ検出部２３０は、アナログ信号をデジタル信号に変換するＡＤ変換部（図示せず）を有する。そして、放送受信部２１０から送られたアナログ信号であるテレビ放送信号は、ＡＤ変換部によってデジタル信号であるテレビ放送信号に変換された上、ＣＭ検出部２３０内の各部に供給される。アナログテレビ放送信号には、雑音が加わるなどにより、無音か有音かの判断の際の無音閾値は、デジタルテレビ放送信号を用いる場合と異なる値が必要である。また、信号の特徴量が等しいか否かの判断に用いられる特徴量の差の閾値にも、異なる値が必要である。
【０２３７】
また、ＣＭ検出部２３０は、コネクタ（図示せず）を有し、移動通信装置ＭＳ外のチューナ（図示せず）によって受信されたアナログ信号であるテレビ放送信号をそのコネクタを介して受信しても良い。この場合、その受信された信号をＡＤ変換部によってデジタル信号であるテレビ放送信号に変換の上、ＣＭ検出部２３０内の各部に提供する。上記チューナがデジタルテレビ放送を受信する場合、ＣＭ検出部２３０が受信するテレビ放送信号がアナログ信号であるにしても、その信号に含まれる雑音は、放送受信部２１０がアナログテレビ放送を受信する場合に含まれる雑音より小さいく、本発明の適用に適する。
【０２３８】
（第４の変形例）
以上の説明で、ＣＭデータは、ＣＭ管理サーバ装置ＳＶ−１で作成、記憶され、移動通信装置ＭＳに転送されるとしたが、これに限るものではない。移動通信装置ＭＳのＣＭ検出部２３０を、ＣＭ管理サーバ装置ＳＶ−１のＣＭ検出部５３０のように、遅延型ＣＭ検出部５３３、ＣＭデータ登録部５３４、及びテレビ放送信号一時記憶部５３２が設けられた構成とすれば、移動通信装置ＭＳでＣＭデータを作成することができる。これによって、データの転送量の削減が可能である。特に、ＣＭテレビ放送信号２５０ｄは、大きな記憶容量なので、移動通信装置ＭＳで作成することによる効果は大きい。
【０２３９】
なお、この場合、ＣＭ名称２５０ｂは、記憶されない、又は、移動通信装置ＭＳの使用者によって決定された情報が記憶される。ＣＭ識別子２５０ａは、移動通信装置ＭＳ内でＣＭを識別可能な情報が記憶されるが、ＣＭ管理サーバ装置ＳＶ−１から送信されるＣＭメタデータのＣＭ識別子２５０ｆと同じ情報となる保証がない。そこで、移動通信装置ＭＳに備えられたＣＭデータ登録部５３４は、仮のＣＭ識別子２５０ａを、ＣＭが放送された日時及び放送局を識別する情報とする。そして、移動通信装置ＭＳのＣＭデータベース管理部２４０は、仮のＣＭ識別子２５０ａを付して、ＣＭ識別子２５０ａと、ＣＭ名称２５０ｂと、ＣＭメタデータとの転送をＣＭ管理サーバ装置ＳＶ−１に要求すれば良い。
【０２４０】
この場合、ＣＭ管理サーバ装置ＳＶ−１のＣＭデータには、そのＣＭが放送された、又は、放送される日時及び放送局を識別する情報が併せて記憶されるとする。そして、ＣＭ管理サーバ装置ＳＶ−１のＣＭデータベース管理部５４０は、上記仮のＣＭ識別子２５０ａを検索キーに、ＣＭデータを検索すれば良い。
【０２４１】
又は、移動通信装置ＭＳのＣＭデータベース管理部２４０は、ＣＭ特徴量２５０ｃを付してＣＭ識別子２５０ａと、ＣＭ名称２５０ｂと、ＣＭメタデータとの転送をＣＭ管理サーバ装置ＳＶ−１に要求しても良い。この場合、ＣＭ管理サーバ装置ＳＶ−１のＣＭデータベース管理部５４０は、ＣＭ特徴量２５０ｃを検索キーに、ＣＭデータを検索するとすれば良い。ＣＭ特徴量２５０ｃは、必ずしもＣＭを一意に識別可能ではないが、実用上、充分に識別可能である。
【０２４２】
なお、移動通信装置ＭＳのＣＭ検出部２３０がＣＭデータを作成、記憶させた際、そのＣＭデータに係るＣＭメタデータが既に移動通信装置ＭＳのＣＭデータベース部２５０に記憶されている場合、ＣＭ検出部２３０は、ＣＭデータベース部２５０に記憶されたデータ内で、上述したように、ＣＭデータと、ＣＭメタデータとの対応付けを行う。
【０２４３】
（第５の変形例）
以上の説明は、移動通信装置ＭＳがテレビ放送を受信し、ＣＭが放送されたことを検出すると、購入支援を行うとしたが、これに限るものではない。本発明は、ワンセグであるか、フルセグであるか、更にはデジタル方式であるか、アナログ方式であるかを問わず、テレビ放送を受信し、インターネットＩＮに接続される全ての装置、例えば、固定式のテレビ受信装置、携帯式のテレビ受信装置、パソコンなどに当然に適用が可能である。
【０２４４】
なお、固定式の装置にあっては、第２の購入支援部３３０を備えない。一方、第１の購入支援部３１０は、購入品情報を、第２の購入支援部３３０を備えた移動式の装置、例えば、移動通信装置へ転送し、その移動式の装置は、購入品情報を記憶し、第２の購入支援部３３０による購入支援を行うことができる。
【０２４５】
なお、上記固定式の装置と、上記移動式の装置との間は、インターネットＩＮを介して接続されても良く、ＮＦＣ方式、トランスファージェット（登録商標、TransferJet）等のＵＷＢ（Ultra Wide Band）方式、ＤＬＮＡ（登録商標、Digital Living Network Alliance）によって定められた方式、ブルートゥース（Ｒ）方式、無線ＬＡＮ方式等の近距離無線通信方式によって接続されても良い。更には、ＩｒＤＡ（Infrared Data Association）方式等の赤外線通信によって、また、取り外し可能な記憶媒体を介して、また、所定の情報記憶用サーバ装置を介して情報が転送されても良い。
【０２４６】
（第６の変形例）
以上の説明で、テレビ放送信号に映像信号及び音声信号以外のＣＭに係る信号が含まれないとしたが、これに限るものではない。例えば、ＣＭの放送開始の際、ＣＭの放送開始を示す信号が含まれる場合、トリガ検出部２３２は、その信号の受信をトリガとし、ＣＭ判定部２３４は、その信号の受信の有無によってＣＭの放送であるか否か判定をする。
【０２４７】
更に、その際、そのＣＭを識別する情報、そのＣＭの名称、そのＣＭの放送時間長の少なくとも一部が含まれる場合、移動通信装置ＭＳのＣＭ検出部２３０は、それぞれをＣＭ識別子２５０ａ、ＣＭ名称２５０ｂ、ＣＭ時間長２５０ｅとするＣＭデータをＣＭデータベース部２５０に記憶させる。この処理により、ＣＭデータをＣＭ管理サーバ装置ＳＶ−１から転送する必要はない可能性がある。なお、ＣＭ特徴量２５０ｃは、ＣＭを識別する情報がテレビ放送信号に含まれる場合、不要である。
【０２４８】
なお、テレビ放送信号にＣＭメタデータが含まれる場合、移動通信装置ＭＳのＣＭ検出部２３０は、そのＣＭメタデータをＣＭデータベース部２５０に記憶させる。この処理により、ＣＭメタデータをＣＭ管理サーバ装置ＳＶ−１から転送する必要はない。なお、テレビ放送を介してＣＭに係るデジタル信号を転送する速度は、インターネットＩＮを介して転送する速度より遅い。そこで、テレビ放送を介して受信する際、ＣＭの放送と同時であるか否かを問わない。放送の前であっても良く、後であっても良い。
【０２４９】
（その他の実施形態）
以上、本発明の実施の形態について説明したが、上述した変形例は、適宜組み合わせて実施しても良い。また、本発明はこれに限定されることなく、その趣旨を逸脱しない範囲で種々の改良・変更が可能であることは勿論である。
【符号の説明】
【０２５０】
ＭＳ  移動通信装置
ＳＶ−１  ＣＭ管理サーバ装置
ＳＶ−２  販売サーバ装置
ＳＶ−３  販売店管理サーバ装置
ＲＷ  リーダライタ装置
ＩＮ  インターネット
ＭＮ  移動通信網
ＢＳ  基地局
ＢＳ−２  フェムト基地局
ＬＬ  近距離無線通信回線
１１０、４１０  制御部
１２０  移動通信網通信部
１３０  移動通信網送受信部
１５０、４４０  表示部
１５０ａ  テレビ放送表示
１５０ｂ  音量等制御表示
１５０ｃ  過去放送ＣＭ表示
１５０ｄ  放送中ＣＭメタデータ表示
１５０ｅ  リンクボタン表示
１６０、４５０  入力部
１７０  ＮＦＣ通信部
２１０、５１０  放送受信部
２１１  チューナ部
２１２  デコーダ部
２１３  放送記憶部
２１４  放送信号変形部
２１５  再生部
２２０、５２０  スピーカ
２３０、５３０  ＣＭ検出部
２３１、５３１  ＣＭ検出制御部
２３２  トリガ検出部
２３３  ＣＭ特徴量算出部
２３４  ＣＭ判定部
２３５  ＣＭ属性記憶部
２３５ａ  ＣＭフラグ
２３５ｂ、２５０ａ、２５０ｆ  ＣＭ識別子
２３５ｃ、２５０ｅ  ＣＭ時間長
２３５ｄ  残ＣＭ時間
２３５ｅ  ＣＭ開始日時
２４０、５４０  ＣＭデータベース管理部
２５０、５５０  ＣＭデータベース部
２５０ｂ  ＣＭ名称
２５０ｃ  ＣＭ特徴量
２５０ｄ  ＣＭテレビ放送信号
２５０ｇ、３２０ｂ  物品識別情報
２５０ｈ  販売対象
２５０ｉ  物品紹介情報
２５０ｊ  販売ＵＲＬ
２５０ｋ  参考ＵＲＬ
２５０ｍ  クーポン情報
２６０  ＣＭ再視聴部
３１０  第１の購入支援部
３２０  購入品情報記憶部
３２０ａ  購入フラグ
３２０ｃ  視聴回数・場所
３３０  第２の購入支援部
４２０  インターネット通信部
４３０  インターネット送受信部
５３２  テレビ放送信号一時記憶部
５３３  遅延型ＣＭ検出部
５３４  ＣＭデータ登録部
５６０  外部記憶媒体接続部
【図１】
0005413086.tif 000002
【図２】
0005413086.tif 000003
【図３】
0005413086.tif 000004
【図４】
0005413086.tif 000005
【図５】
0005413086.tif 000006
【図６】
0005413086.tif 000007
【図７】
0005413086.tif 000008
【図８】
0005413086.tif 000009
【図９】
0005413086.tif 000010
【図１０】
0005413086.tif 000011
【図１１】
0005413086.tif 000012
【図１２】
0005413086.tif 000013
【図１３】
0005413086.tif 000014
【図１４】
0005413086.tif 000015
【図１５】
0005413086.tif 000016
【図１６】
0005413086.tif 000017
【図１７】
0005413086.tif 000018
【図１８】
0005413086.tif 000019
【図１９】
0005413086.tif 000020
【図２０】
0005413086.tif 000021
【図２１】
0005413086.tif 000022
【図２２】
0005413086.tif 000023
【図２３】
0005413086.tif 000024